(57)【要約】  本発明は、相違なる２種の物質を一つの胴体に隔離して収容し、必要によって２種の物質を混合可能にする容器に関するもので、注入口を持つ容器本体と、注入口に結合される挿入部と、注入部の外部に露出する露出部とを備え、両側が開放されて内側に添加物収容空間を形成する添加物貯蔵容器と、注入口に螺合され、添加物収容空間を容器本体の内容物収容空間に対して選択的に隔離又は連通させる蓋部材と、添加物貯蔵容器を注入口から分離させる添加物貯蔵容器分離手段とを含む容器を提供して、資源の無駄使いを減らすことができ、添加物と内容物が混合した状態で長期間経過による物性変化を防止し、常時一定量を正確に混合することができるようにして、混合比の不良による従来の化学的、物理的特性の低下を予防し、特に蓋部材の回転動作によって、添加物が放出されるとともに貯蔵容器がともに分離されて、使用の便利性を提供することができる。
2007512194.tif 000002
【特許請求の範囲】
【請求項１】
外周面に雄ネジが形成された注入口が設けられた容器本体と；
注入口の内側に結合される挿入部と、外部に露出する露出部とを備え、両側が開放され、内側に添加物収容空間を形成する添加物貯蔵容器と；
注入口の雄ネジに螺合され、前記添加物収容空間を容器本体の内容物収容空間に対して選択的に隔離又は連通させる蓋部材と；
前記添加物貯蔵容器を注入口から分離させる添加物貯蔵容器分離手段と；
を含んでなる容器。
【請求項２】
前記添加物貯蔵容器分離手段は、添加物貯蔵容器の外周面中央部に半径方向外側に突出する上昇突条が形成され、この上昇突条が蓋部材の内周面に形成された雌ネジと軸方向に干渉するように構成されることを特徴とする、請求項１に記載の容器。
【請求項３】
前記添加物貯蔵容器の挿入部の端部には、半径方向内側に突出し、中央部に排出口が形成されたバルブシートが設けられ、蓋部材の中央に支持軸が軸方向に突出し、この支持軸の端部には、前記排出口を閉鎖して、添加物収容空間を容器本体の内容物収容空間から隔離するバルブ部材が固定されることを特徴とする、請求項１又は２に記載の容器。
【請求項４】
前記蓋部材の内側には、外壁から内側に所定距離だけ離隔されて軸方向に突出する円筒状の内壁が形成され、内壁の外周面と露出部の内周面が摺動可能に面接触するように構成されることを特徴とする、請求項３に記載の容器。
【請求項５】
前記蓋部材の外壁と内壁にはそれぞれ同軸上に外部注入孔及び内部注入孔が形成され、添加物貯蔵容器の露出部には、蓋部材が回転する時、予定位置で前記外部注入孔及び内部注入孔を連通させる連通孔が形成されることを特徴とする、請求項４に記載の容器。
【請求項６】
前記連通孔は、蓋部材の回転時、一定角度以上外部注入孔及び内部注入孔の連通状態を維持するように長孔状に形成されることを特徴とする、請求項５に記載の容器。
【請求項７】
前記添加物貯蔵容器の露出部の内周面には段差部が形成され、段差部には、蓋部材の内壁末端が軸方向に一定深さだけ挿入されるように第１シール溝が形成されることを特徴とする、請求項６に記載の容器。
【請求項８】
前記内壁の外側には、露出部の端部が軸方向に一定深さだけ挿入されるように第２シール溝がさらに形成されることを特徴とする、請求項７に記載の容器。
【請求項９】
前記注入口は、注入口部材を別に成形し、これを容器本体の入口に一体的に成形する二重射出によって形成されることを特徴とする、請求項１に記載の容器。
【請求項１０】
外周面に環状のストッパーが突設された注入口を持つ容器本体と；
注入口の内側に結合される挿入部と、注入口の外部に露出する露出部とを備え、上側は開放され、下側には排出口が形成され、内部に添加物収容空間を形成する添加物貯蔵容器と；
露出部の上部を開閉する密閉部を持ち、密閉部の外周面から延長され、先端には注入口のストッパーに結合されるフックが形成され、密閉部の内部で突出するバルブ手段によって前記添加物収容空間を容器本体の内容物収容空間に対して選択的に隔離又は連通させる蓋部材と；
を含んでなる容器。
【請求項１１】
前記蓋部材の密閉部には、半径方向外側に拡張される把持部が形成されることを特徴とする、請求項１０に記載の容器。
【請求項１２】
上部に注入口が設けられ、密閉された下部壁に供給口が形成され、下部壁から下部に伸び、外周面に係合溝が形成された延長壁が一体的に形成される容器本体と；
一側が開放された円筒状のものであって、外周面に雄ネジが形成され、前記延長壁内にスライド可能に挿入され、前記供給口を開閉するバルブ部材を含む添加物貯蔵容器と；
前記添加物貯蔵容器の外側を取り囲み、容器本体に回転可能に結合され、回転時、添加物貯蔵容器を軸方向に移動させる蓋部材と；
を含んでなる容器。
【請求項１３】
前記蓋部材は、開放端に、前記延長壁の係合溝に回転可能に結合する係合突条が形成され、内側面に、前記添加物貯蔵容器の雄ネジと螺合して添加物貯蔵容器を軸方向に移動させる雌ネジが形成されることを特徴とする、請求項１２に記載の容器。
【請求項１４】
外周面に雄ネジが形成された注入口が設けられ、内部に内容物収容空間を持つ容器本体と；
前記注入口に挿入され、外周面に上昇突条が形成され、内部に前記内容物収容空間と選択的に連通する複数の添加物収容空間を持つ添加物貯蔵容器と；
前記注入口の雌ネジに螺合される外壁と、前記添加物貯蔵容器に挿入される内壁と、添加物収容空間を二つの隔離した空間に区画する分離壁とが一体的に形成された蓋部材と；
を含んでなる容器。
【請求項１５】
前記添加物貯蔵容器の下端部周囲には複数の排出口が形成され、添加物貯蔵容器の底面は中央に行くほど徐々に上方に膨らむように構成されることを特徴とする、請求項１４に記載の容器。
【請求項１６】
前記底面には、それぞれ内壁と分離壁の下端が接する部分にシール部材が設けられることを特徴とする、請求項１５に記載の容器。
【請求項１７】
前記密閉部には、添加物貯蔵容器の上端が挿入されるシール溝が形成されることを特徴とする、請求項１６に記載の容器。
【請求項１８】
前記外壁及び内壁には、それぞれの添加物収容空間に対応するように外部注入孔及び内部注入孔がそれぞれ形成され、添加物貯蔵容器には、前記それぞれの外部注入孔及び内部注入孔と予定位置で相互に同軸上に連通して、添加物収容空間を外気と連通させる連通孔が形成されることを特徴とする、請求項１７に記載の容器。
【請求項１９】
外周面に雄ネジが形成された注入口を持つ容器本体と；
注入口の内側に挿入され、上端は開放され、下端には排出口が形成された円筒状収容部を持つ貯蔵容器と；
前記収容部の開放端に面接触する端部プレートと、端部プレートの外周縁から軸方向に伸び、注入口に螺合される雌ネジが形成されたメインキャップと、端部プレートの内周縁から軸方向に伸び、前記貯蔵部の内側に軸方向移動可能に挿入され、排出口を選択的に開閉するスライダーが一体的に形成された蓋部材と；
を含んでなる容器。
【請求項２０】
前記収容部の開放端には、収容部から半径方向外側に拡張される外側突条を持つフランジが一体的に形成され、収容部の外周面には、フランジから所定距離に前記注入口の雄ネジと同一ピッチの雄ネジが形成され、メインキャップの雌ネジ形成区間の内側には、収容部の雄ネジに螺合され、外側突条にかかる外側係合突条が半径方向内側に突設され、蓋部材の回転時、外側係合突条が外側突条にかかって貯蔵容器を注入口から分離させることを特徴とする、請求項１９に記載の容器。
【請求項２１】
前記収容部の雄ネジのフランジに隣接した谷部には、円周上に内部ラチェットが形成され、外側係合突条の端部には、内部ラチェットに対していずれか一方向への回転のみを許容する外側ラチェットが形成されることを特徴とする、請求項２０に記載の容器。
【請求項２２】
前記フランジは、半径方向内側に拡張される内側突条を持つフランジをさらに含み、スライダーの外周面のうち、外側係合突条と対応する位置には、内側突条にかかる内側係合突条が半径方向外側に突設され、蓋部材の回転時、内側係合突条が内側突条にかかって、貯蔵容器を注入口から分離させることを特徴とする、請求項２１に記載の容器。
【請求項２３】
前記端部プレートの外側には、スライダーの上部を閉鎖する上部キャップが一体的に形成されることを特徴とする、請求項２２に記載の容器。
【請求項２４】
前記端部プレートには、フランジによって開閉される少なくとも一つの連通孔が形成されることを特徴とする、請求項２３に記載の容器。
【請求項２５】
前記収容部の外周面には、注入口の内側面に接して気密を維持する複数のシール突条が一体的に形成されることを特徴とする、請求項１９〜２４のいずれか一項に記載の容器。
【請求項２６】
貯蔵容器の底面は、中央に行くほど徐々に上方に膨らむように構成されることを特徴とする、請求項２５に記載の容器。
【請求項２７】
貯蔵容器の底面のうち、スライダーの端部と接する部分にはシール部材が挿入されることを特徴とする、請求項２６に記載の容器。
【請求項２８】
前記端部プレートの外周縁には軸方向に延長部が形成され、この延長部に選択的に結合される上部キャップが備えられることを特徴とする、請求項２２に記載の容器。
【請求項２９】
前記貯蔵容器の底面から上向きに突出して収容部を二分する隔壁が一体的に形成され、上部キャップには、前記隔壁の上端が挿入される挿入溝が形成されることを特徴とする、請求項２８に記載の容器。
【請求項３０】
前記上部キャップは連結帯によってメインキャップに一体的に固定されることを特徴とする、請求項２８又は２９に記載の容器。
【請求項３１】
前記延長部には、注入口の雄ネジと同一の雄ネジが形成され、雄ネジに螺合する雌ネジを持つスポーツキャップが延長部に螺合されることを特徴とする、請求項２８に記載の容器。
【請求項３２】
外周面に雄ネジが形成された注入口を持つ容器本体と；
注入口の内側に挿入され、上端は開放され、下端には切取線によって区分される破裂部が形成された円筒状収容部を持つ貯蔵容器と；
前記収容部の開放端に面接触する端部プレートと、端部プレートの外周縁から軸方向に伸び、注入口に螺合される雌ネジが形成されたメインキャップと、端部プレートの内周縁から軸方向に伸び、前記収容部の内側に軸方向移動可能に挿入され、端部に前記破断線を切開する刃部を持つスライダーとが一体的に形成された蓋部材と；
を含んでなる容器。
【請求項３３】
前記収容部の開放端には、収容部から半径方向外側に拡張される外側突条を持つフランジが一体的に形成され、収容部の外周面には、フランジから所定距離に前記注入口の雄ネジと同一ピッチの雄ネジが形成され、メインキャップの雌ネジ形成区間の内側には、収容部の雄ネジに螺合され、外側突条にかかる外側係合突条が半径方向内側に突設され、蓋部材の回転時、外側係合突条が外側突条にかかって貯蔵容器を注入口から分離させることを特徴とする、請求項３２に記載の容器。
【請求項３４】
前記フランジは半径方向内側に拡張される内側突条をさらに含み、スライダーの外周面のうち、外側係合突条と対応する位置には、内側突条にかかる内側係合突条が半径方向外側に突設され、蓋部材の回転時、内側係合突条が内側突条にかかって貯蔵容器を注入口から分離させることを特徴とする、請求項３３に記載の容器。
【請求項３５】
前記端部プレートには、フランジによって開閉される少なくとも一つの連通孔が形成されることを特徴とする、請求項３４に記載の容器。
【請求項３６】
前記端部プレートの外周縁には軸方向に延長部が形成され、この延長部に選択的に結合される上部キャップが備えられることを特徴とする、請求項３４に記載の容器。
【請求項３７】
前記上部キャップは連結帯によってメインキャップに一体的に固定されることを特徴とする、請求項３６に記載の容器。
【請求項３８】
前記上部キャップには、内側面に所定間隔を持つシール突条が突設され、延長部には、前記シール突条間に挿入されるシール突条が一体的に形成されることを特徴とする、請求項３７に記載の容器。
【請求項３９】
前記延長部には、注入口の雄ネジと同一の雄ネジが形成され、雄ネジに螺合する雌ネジを持つスポーツキャップが延長部に螺合されることを特徴とする、請求項３４に記載の容器。
【請求項４０】
外周面に雄ネジが形成された注入口を持つ容器本体と；
上端は開放され、下端には排出口が形成された円筒状収容部を持ち、下端から軸方向に破裂具が突設され、排出口の一側にフックが一体的に形成された貯蔵容器と；
収容部の開放端に配置される端部プレートと、端部プレートの外周縁から軸方向に伸び、注入口に螺合される雌ネジが形成されたメインキャップと、端部プレートの内周縁から軸方向に伸びて前記収容部の内側に軸方向移動可能に挿入されるスライダーと、スライダーの下部に、前記フックにかかる係留具を持つ破裂部とが一体的に形成される蓋部材と；
貯蔵容器の開放端内周面に環状に配置される固定ラチェットと、スライダーの外周面に形成され、蓋部材が注入口から解放される時、予定位置で前記固定ラチェットと干渉する可動ラチェットとからなる分離手段と；
を含んでなる容器。
【請求項４１】
前記固定ラチェット及び可動ラチェットはそれぞれ軸方向に面接触し、蓋部材が解放される方向に回転する時、それぞれ相手の回転を制限するように構成されることを特徴とする、請求項４０に記載の容器。
【請求項４２】
前記固定ラチェット及び可動ラチェットの後面には、それぞれスライダーが貯蔵容器の内側に進入することを許容するように傾斜面を持つことを特徴とする、請求項４１に記載の容器。
【請求項４３】
外周面に雄ネジが形成された注入口を持つ容器本体と；
上端は開放され、下端には排出口が形成された円筒状収容部を持ち、下端から軸方向に破裂具が突設され、排出口周囲に軸方向に複数の破裂具が一体的に形成された貯蔵容器と；
収容部の開放端に配置される端部プレートと、端部プレートの外周縁から軸方向に伸び、注入口に螺合される雌ネジが形成されたメインキャップと、端部プレートの内周縁から軸方向に伸びて前記収容部の内側に軸方向移動可能に挿入されるスライダーと、スライダーの下部に前記破裂具によって破れる破裂部とが一体的に形成される蓋部材と；
貯蔵容器の開放端部に環状に配置される固定ラチェットと、蓋部材の端部プレートの内面において、前記固定ラチェットと対応する位置に形成され、固定ラチェットに対して一方向回転のみを許容する可動ラチェットとからなる分離手段と；
を含んでなる容器。
【請求項４４】
外周面に雄ネジが形成された注入口を持つ容器本体と；
上端は開放され、下端には排出口が形成された円筒状収容部を持ち、下端から軸方向に破裂具が突設され、排出口周囲に軸方向に複数の破裂具が一体的に形成される貯蔵容器と；
収容部の開放端に配置される端部プレートと、端部プレートの外周縁から軸方向に伸び、注入口に螺合される雌ネジが形成されたメインキャップと、端部プレートの内周縁から軸方向に伸びて前記収容部の内側に軸方向移動可能に挿入されるスライダーと、スライダーの下部に設けられ、前記破裂具によって破れる破裂部とが一体的に形成される蓋部材と；
貯蔵容器の排出口周囲に環状に配置される固定ラチェットと、蓋部材のスライダーの下端において、前記固定ラチェットと対応する位置に形成され、固定ラチェットに対して一方向回転のみを許容する可動ラチェットとからなる分離手段と；
を含んでなる容器。
【請求項４５】
前記貯蔵容器の開放端部の内周面には、スライダーの側面にすべり移動可能に接するシール突条が一体的に形成されることを特徴とする、請求項４３又は４４に記載の容器。
【請求項４６】
外周面に雄ネジが形成された注入口を持つ容器本体と；
前記注入口の開放端に面接触する端部プレートと、端部プレートの外周縁から軸方向に伸び、注入口に螺合される雌ネジが形成されたメインキャップと、端部プレートの内周縁から軸方向に伸びて前記収容部の内側に軸方向移動可能に挿入され、端部に破裂部が一体的に形成された内部キャップとが一体的に形成される貯蔵容器と；
前記内部キャップの上部に配置される仕上げプレートと、仕上げプレートの外周縁から軸方向に伸び、メインキャップの外周面に螺合される雌ネジが形成された上部キャップと、端部プレートの内周縁から軸方向に伸びて前記収容部の内側に軸方向移動可能に挿入され、前記破裂部を切開する破裂具が端部に一体的に形成されたスライダーとからなる蓋部材と；
貯蔵容器の下部に切取可能に形成され、蓋部材の下降を制限する固定バンドと；
を含んでなる容器。
【請求項４７】
破裂部は、周縁部が比較的薄く形成されることにより、ホルダーによって内部キャップに堅く連結されることを特徴とする、請求項４６に記載の容器。
【請求項４８】
前記スライダーの内部には、長手方向全長にわたって半径方向内側に突出する撹拌突条が形成されることを特徴とする、請求項４７に記載の容器。
【請求項４９】
前記スライダーの内部には、半径方向に突出する少なくとも一つの撹拌棒が一体的に形成されることを特徴とする、請求項４６〜４８のいずれか一項に記載の容器。
【請求項５０】
外周面に雄ネジが形成された注入口を持つ容器本体と；
前記注入口の開放端部に面接触する端部プレートと、端部プレートの外周縁から軸方向に伸び、注入口に螺合される雌ネジが形成されたメインキャップと、端部プレートの内周縁から軸方向に伸びて前記収容部の内側に軸方向移動可能に挿入され、端部に排出口及び係合突条が形成される内部キャップとが一体的に形成された貯蔵容器と；
前記内部キャップの上部に配置される仕上げプレートと、仕上げプレートの外周縁から軸方向に伸び、メインキャップの外周面に螺合される雌ネジが形成された上部キャップと、端部プレートの内周縁から軸方向に伸びて前記収容部の内側に軸方向移動可能に挿入され、端部で栓によって密閉されるスライダーとが一体的に形成された蓋部材と；
を含んでなる容器。
【請求項５１】
前記栓は、下端に係合突条にかかるフックが一体的に形成されることにより、係合突条の進入は許容するが離脱は制限することを特徴とする、請求項５０に記載の容器。
【請求項５２】
前記栓は、スライダーの下端に形成されたシール溝に結合されるシール突条を含んで、スライダーに対して分離可能に構成されることを特徴とする、請求項５１に記載の容器。
【請求項５３】
前記栓はスライダーの下端に一体的に形成され、栓とスライダーとの間には比較的薄く形成される切取線が形成されることを特徴とする、請求項５２に記載の容器。
【請求項５４】
前記切取線は斜めに形成されることを特徴とする、請求項５３に記載の容器。
【請求項５５】
前記栓の上部外周面には、スライダーの内壁から突出する固定突条にかかる固定溝が形成され、スライダーに対して分離可能に形成されることを特徴とする、請求項５３に記載の容器。
【請求項５６】
前記栓とスライダーとの間にはシールリングが介在されることを特徴とする、請求項５５に記載の容器。
【請求項５７】
前記スライダーと内部キャップには、互いに対して軸方向に移動する時、気密維持及び干渉音発生のための干渉突条がそれぞれ形成されることを特徴とする、請求項５６に記載の容器。
【請求項５８】
前記仕上げプレートには、干渉突条の作動音を外部に発散させる音発生部が形成されることを特徴とする、請求項５７に記載の容器。
【請求項５９】
外周面に雄ネジが形成された注入口を持つ容器本体と；
前記注入口の開放端に面接触する端部プレートと、端部プレートの内周縁から軸方向に伸びて前記収容部の内側に軸方向移動可能に挿入され、端部に排出口が形成される内部キャップと、端部プレートの外周縁から半径方向外側に、前記注入口の雄ネジと同一の雄ネジが突設された貯蔵容器と；
前記内部キャップの上部に配置される仕上げプレートと、仕上げプレートの外周縁から軸方向に伸び、注入口の雄ネジ及び端部プレートの雄ネジに同時に螺合される雌ネジが形成された上部キャップと、端部プレートの内周縁から軸方向に伸びて前記収容部の内側に軸方向移動可能に挿入され、端部に排出口が形成されるスライダーとが一体的に形成された蓋部材と；
貯蔵容器の下部を覆い、スライダーと内部キャップ間の隙間を密封する破裂膜と；
を含んでなる容器。
【請求項６０】
スライダーの下部には、貯蔵容器が蓋部材に対して設定位置以上に上昇することを制限する楔部が備えられることを特徴とする、請求項５９記載の容器。
【請求項６１】
注入口の上面には下部ラチェットが形成され、これに対応する貯蔵容器の底面には上部ラチェットが形成されることにより、注入口に対する貯蔵容器の一方向回転のみを許容することを特徴とする、請求項６０に記載の容器。
【請求項６２】
貯蔵容器の上部には下部ラチェット片が形成され、これに対応する蓋部材の底面には、下部ラチェット片に対して一方向にだけ回転される下部ラチェット片が形成されることにより、蓋部材の回転力が貯蔵容器に伝達されることを特徴とする、請求項６１に記載の容器。
【請求項６３】
前記排出口の上端及び下端にはそれぞれ環状のシール突条が突設されることを特徴とする、請求項６２に記載の容器。
【請求項６４】
前記スライダーには、添加物収容空間を二分する分離壁が形成され、それぞれの分離空間にそれぞれ排出口及び開放口が形成されることを特徴とする、請求項５９〜６３のいずれか一項に記載の容器。
【請求項６５】
前記仕上げプレート上には、添加物収容空間に添加物を充填するための少なくとも一つの開放口が形成されることを特徴とする、請求項６４に記載の容器。
【請求項６６】
外周面に雄ネジが形成された注入口を持つ容器本体と；
前記注入口の開放端部に面接触する端部プレートと、端部プレートの外周縁から軸方向に伸び、注入口に螺合される雌ネジが形成されたメインキャップと、端部プレートの内周縁から軸方向に伸びて前記収容部の内側に軸方向移動可能に挿入され、端部に破裂部が一体的に形成された内部キャップとが一体的に形成される貯蔵容器と；
前記内部キャップの上部に配置される仕上げプレートと、仕上げプレートの外周縁から軸方向に伸び、メインキャップの外周面に螺合される雌ネジが形成された上部キャップと、端部プレートの内周縁から軸方向に伸びて前記収容部の内側に軸方向移動可能に挿入され、前記破裂部を切開する破裂具が端部に一体的に形成されたスライダーとからなる蓋部材と； 
貯蔵容器の下部に切取可能に形勢され、蓋部材の下降を制限する固定バンドと；
を含んでなる容器。
【請求項６７】
破裂部は周縁部が比較的薄く形成されることにより、ホルダーによって内部キャップに堅固に連結されることを特徴とする、請求項６６に記載の容器。
【請求項６８】
前記スライダーの内部には、長手方向全長にわたって半径方向内側に突設される撹拌突起が形成されることを特徴とする、請求項６７に記載の容器。
【請求項６９】
前記スライダーの内部には、半径方向に突出する少なくとも一つの撹拌棒が一体的に形成されることを特徴とする、請求項６６〜６８のいずれか一項に記載の容器。
【発明の詳細な説明】
【技術分野】
【０００１】
本発明は容器に関するもので、より詳しくは、相違なる２種の物質を一つの胴体に隔離して収容させ、必要によって、隔離された空間を相互に連通させて２種の物質を混合して使用可能にする容器に関するものである。
【背景技術】
【０００２】
現在、市中に流通及び販売される容器は、大部分一つの容器に１種の物質のみが貯蔵された状態で流通している。しかし、全産業分野にわたって相違なる２種の物質を混合して使用する必要性がある。例として、コーヒー飲料の場合、コーヒー飲料内に砂糖又はクリームパウダーを混合することを挙げることができ、医薬品又は化学薬品等の場合にも、このような例を挙げることができる。
【０００３】
しかし、従来には、相違なる２種の物質を混合して使おうとする時、それぞれの物質が入っている容器を別に購入しなければならない煩わしさがあり、特に混合時、正確な計量のために計量器具をさらに必要とし、計量器具が用意されていない場合、正確な混合比を維持するのに難しさが隋伴した。
【発明の開示】
【０００４】
したがって、本発明は前記のような従来技術の問題点を解決するためになされたもので、その目的は、混合しようとする２種の物質を一つの容器に分離して貯蔵、流通することで、二つの容器を製作することによる資源の無駄使いを防止することができる容器を提供することにある。
【０００５】
本発明の他の目的は、使用時、簡便な動作だけで任意の２種の物質を正確な混合比で混合可能にする容器を提供することにある。
【０００６】
本発明のさらに他の目的は、添加物を収容する収容空間内部の気密を良好に維持して添加物の酸化及び腐敗を防止し、一般瓶の注入口に互換して適用できるようにする容器を提供することにある。
【０００７】
本発明のさらに他の目的は、添加物の貯蔵容器を蓋部材の開放動作と連動して容器本体から一緒に分離できるようにする容器を提供することにある。
【０００８】
前記目的を達成するため、本発明は、外周面に雄ネジが形成された注入口が設けられた容器本体と；注入口の内側に結合される挿入部と、外部に露出する露出部とを備え、両側が開放され、内側に添加物収容空間を形成する添加物貯蔵容器と；注入口の雄ネジに螺合され、前記添加物収容空間を容器本体の内容物収容空間に対して選択的に隔離又は連通させる蓋部材と；前記添加物貯蔵容器を注入口から分離させる添加物貯蔵容器分離手段と；を含んでなる容器を提供する。
【０００９】
前記添加物貯蔵容器分離手段は、添加物貯蔵容器の外周面中央部に半径方向外側に突出する上昇突条が形成され、この上昇突条が蓋部材の内周面に形成された雌ネジと軸方向に干渉するように構成される。
【００１０】
前記添加物貯蔵容器の挿入部の端部には、半径方向内側に突出し、中央部に排出口が形成されたバルブシートが設けられ、蓋部材の中央に支持軸が軸方向に突出し、この支持軸の端部には、前記排出口を閉鎖して、添加物収容空間を容器本体の内容物収容空間から隔離するバルブ部材が固定される。
【００１１】
前記蓋部材の内側には、外壁から内側に所定距離だけ離隔されて軸方向に突出する円筒状の内壁が形成され、内壁の外周面と露出部の内周面が移動可能に面接触するように構成される。
【００１２】
前記蓋部材の外壁と内壁にはそれぞれ同軸上に外部注入孔及び内部注入孔が形成され、添加物貯蔵容器の露出部には、蓋部材が回転する時、予定位置で前記外部注入孔及び内部注入孔を連通させる連通孔が形成される。
【００１３】
前記連通孔は、蓋部材の回転時、一定角度以上外部注入孔及び内部注入孔の連通状態を維持するように長孔状に形成される。
【００１４】
前記添加物貯蔵容器の露出部の内周面には段差部が形成され、段差部には、蓋部材の内壁末端が軸方向に一定深さだけ挿入されるように第１シール溝が形成される。
【００１５】
前記内壁の外側には、露出部の端部が軸方向に一定深さだけ挿入されるように第２シール溝がさらに形成される。
【００１６】
前記注入口は、注入口部材を別に成形し、これを容器本体の入口に一体的に成形する二重射出によって形成される。
【００１７】
また、前記目的を達成するため、本発明は、外周面に環状のストッパーが突設された注入口を持つ容器本体と；注入口の内側に結合される挿入部と、注入口の外部に露出する露出部とを備え、上側は開放され、下側には排出口が形成され、内部に添加物収容空間を形成する添加物貯蔵容器と；露出部の上部を開閉する密閉部を持ち、密閉部の外周面から延長され、先端には注入口のストッパーに結合されるフックが形成され、密閉部の内部で突出するバルブ手段によって前記添加物収容空間を容器本体の内容物収容空間に対して選択的に隔離又は連通させる蓋部材と；を含んでなる容器を提供する。
【００１８】
前記蓋部材の密閉部には、半径方向外側に拡張される把持部が形成される。
【００１９】
また、前記目的を達成するため、本発明は、上部に注入口が設けられ、密閉された下部壁に供給口が形成され、下部壁から下部に伸び、外周面に係合溝が形成された延長壁が一体的に形成される容器本体と；一側が開放された円筒状のものであって、外周面に雄ネジが形成され、前記延長壁内にスライド可能に挿入され、前記供給口を開閉するバルブ部材を含む添加物貯蔵容器と；前記添加物貯蔵容器の外側を取り囲み、容器本体に回転可能に結合され、回転時、添加物貯蔵容器を軸方向に移動させる蓋部材と；を含んでなる容器を提供する。
【００２０】
前記蓋部材は、開放端に、前記延長壁の係合溝に回転可能に結合する係合突条が形成され、内側面に、前記添加物貯蔵容器の雄ネジと螺合して添加物貯蔵容器を軸方向に移動させる雌ネジが形成される。
【００２１】
また、前記目的を達成するため、本発明は、外周面に雄ネジが形成された注入口が設けられ、内部に内容物収容空間を持つ容器本体と；前記注入口に挿入され、外周面に上昇突条が形成され、内部に前記内容物収容空間と選択的に連通する複数の添加物収容空間を持つ添加物貯蔵容器と；前記注入口の雌ネジに螺合される外壁と、前記添加物貯蔵容器に挿入される内壁と、添加物収容空間を二つの隔離した空間に区画する分離壁とが一体的に形成された蓋部材と；を含んでなる容器を提供する。
【００２２】
前記添加物貯蔵容器の下端部周囲には複数の排出口が形成され、添加物貯蔵容器の底面は中央に行くほど徐々に上方に膨らむように構成される。
【００２３】
前記底面には、それぞれ内壁と分離壁の下端が接する部分にシール部材が設けられる。
【００２４】
前記密閉部には、添加物貯蔵容器の上端が挿入されるシール溝が形成される。
【００２５】
前記外壁及び内壁には、それぞれの添加物収容空間に対応するように外部注入孔及び内部注入孔がそれぞれ形成され、添加物貯蔵容器には、前記それぞれの外部注入孔及び内部注入孔と予定位置で相互に同軸上に連通して、添加物収容空間を外気と連通させる連通孔が形成される。
【００２６】
また、前記目的を達成するため、本発明は、外周面に雄ネジが形成された注入口を持つ容器本体と；注入口の内側に挿入され、上端は開放され、下端には排出口が形成された円筒状収容部を持つ貯蔵容器と；前記収容部の開放端に面接触する端部プレートと、端部プレートの外周縁から軸方向に伸び、注入口に螺合される雌ネジが形成されたメインキャップと、端部プレートの内周縁から軸方向に伸び、前記貯蔵部の内側に軸方向移動可能に挿入され、排出口を選択的に開閉するスライダーが一体的に形成された蓋部材と；を含んでなる容器を提供する。
【００２７】
前記収容部の開放端には、収容部から半径方向外側に拡張される外側突条を持つフランジが一体的に形成され、収容部の外周面には、フランジから所定距離に前記注入口の雄ネジと同一ピッチの雄ネジが形成され、メインキャップの雌ネジ形成区間の内側には、収容部の雄ネジに螺合され、外側突条にかかる外側係合突条が半径方向内側に突設され、蓋部材の回転時、外側係合突条が外側突条にかかって貯蔵容器を注入口から分離させる。
【００２８】
前記収容部の雄ネジのフランジに隣接した谷部には、円周上に内部ラチェットが形成され、外側係合突条の端部には、内部ラチェットに対していずれか一方向への回転のみを許容する外側ラチェットが形成される。
【００２９】
前記フランジは、半径方向内側に拡張される内側突条を持つフランジをさらに含み、スライダーの外周面のうち、外側係合突条と対応する位置には、内側突条にかかる内側係合突条が半径方向外側に突設され、蓋部材の回転時、内側係合突条が内側突条にかかって、貯蔵容器を注入口から分離させる。
【００３０】
前記端部プレートの外側には、スライダーの上部を閉鎖する上部キャップが一体的に形成される。
【００３１】
前記端部プレートには、フランジによって開閉される少なくとも一つの連通孔が形成される。
【００３２】
前記収容部の外周面には、注入口の内側面に接して気密を維持する複数のシール突条が一体的に形成される。
【００３３】
貯蔵容器の底面は、中央に行くほど徐々に上方に膨らむように構成される。
【００３４】
貯蔵容器の底面のうち、スライダーの端部と接する部分にはシール部材が挿入される。
【００３５】
前記端部プレートの外周縁には軸方向に延長部が形成され、この延長部に選択的に結合される上部キャップが備えられる。
【００３６】
前記貯蔵容器の底面から上向きに突出して収容部を二分する隔壁が一体的に形成され、上部キャップには、前記隔壁の上端が挿入される挿入溝が形成される。
【００３７】
前記上部キャップは連結帯によってメインキャップに一体的に固定される。
【００３８】
前記延長部には、注入口の雄ネジと同一の雄ネジが形成され、雄ネジに螺合する雌ネジを持つスポーツキャップが延長部に螺合される。
【００３９】
また、前記目的を達成するため、本発明は、外周面に雄ネジが形成された注入口を持つ容器本体と；注入口の内側に挿入され、上端は開放され、下端には切取線によって区分される破裂部が形成された円筒状収容部を持つ貯蔵容器と；前記収容部の開放端に面接触する端部プレートと、端部プレートの外周縁から軸方向に伸び、注入口に螺合される雌ネジが形成されたメインキャップと、端部プレートの内周縁から軸方向に伸び、前記収容部の内側に軸方向移動可能に挿入され、端部に前記破断線を切開する刃部を持つスライダーとが一体的に形成された蓋部材と；を含んでなる容器を提供する。
【００４０】
前記収容部の開放端には、収容部から半径方向外側に拡張される外側突条を持つフランジが一体的に形成され、収容部の外周面には、フランジから所定距離に前記注入口の雄ネジと同一ピッチの雄ネジが形成され、メインキャップの雌ネジ形成区間の内側には、収容部の雄ネジに螺合され、外側突条にかかる外側係合突条が半径方向内側に突設され、蓋部材の回転時、外側係合突条が外側突条にかかって貯蔵容器を注入口から分離させる。
【００４１】
前記フランジは半径方向内側に拡張される内側突条をさらに含み、スライダーの外周面のうち、外側係合突条と対応する位置には、内側突条にかかる内側係合突条が半径方向外側に突設され、蓋部材の回転時、内側係合突条が内側突条にかかって貯蔵容器を注入口から分離させる。
【００４２】
前記端部プレートには、フランジによって開閉される少なくとも一つの連通孔が形成される。
【００４３】
前記端部プレートの外周縁には軸方向に延長部が形成され、この延長部に選択的に結合される上部キャップが備えられる。
【００４４】
前記上部キャップは連結帯によってメインキャップに一体的に固定される。
【００４５】
前記上部キャップには、内側面に所定間隔を持つシール突条が突設され、延長部には、前記シール突条間に挿入されるシール突条が一体的に形成される。
【００４６】
前記延長部には、注入口の雄ネジと同一の雄ネジが形成され、雄ネジに螺合する雌ネジを持つスポーツキャップが延長部に螺合される。
【００４７】
また、前記目的を達成するため、本発明は、外周面に雄ネジが形成された注入口を持つ容器本体と；上端は開放され、下端には排出口が形成された円筒状収容部を持ち、下端から軸方向に破裂具が突設され、排出口の一側にフックが一体的に形成された貯蔵容器と；収容部の開放端に配置される端部プレートと、端部プレートの外周縁から軸方向に伸び、注入口に螺合される雌ネジが形成されたメインキャップと、端部プレートの内周縁から軸方向に伸びて前記収容部の内側に軸方向移動可能に挿入されるスライダーと、スライダーの下部に、前記フックにかかる係留具を持つ破裂部とが一体的に形成される蓋部材と；貯蔵容器の開放端内周面に環状に配置される固定ラチェットと、スライダーの外周面に形成され、蓋部材が注入口から解放される時、予定位置で前記固定ラチェットと干渉する可動ラチェットとからなる分離手段と；を含んでなる容器を提供する。
【００４８】
前記固定ラチェット及び可動ラチェットはそれぞれ軸方向に面接触し、蓋部材が解放される方向に回転する時、それぞれ相手の回転を制限するように構成される。
【００４９】
前記固定ラチェット及び可動ラチェットの後面には、それぞれスライダーが貯蔵容器の内側に進入することを許容するように傾斜面を持つ。
【００５０】
また、前記目的を達成するため、本発明は、外周面に雄ネジが形成された注入口を持つ容器本体と；上端は開放され、下端には排出口が形成された円筒状収容部を持ち、下端から軸方向に破裂具が突設され、排出口周囲に軸方向に複数の破裂具が一体的に形成された貯蔵容器と；収容部の開放端に配置される端部プレートと、端部プレートの外周縁から軸方向に伸び、注入口に螺合される雌ネジが形成されたメインキャップと、端部プレートの内周縁から軸方向に伸びて前記収容部の内側に軸方向移動可能に挿入されるスライダーと、スライダーの下部に前記破裂具によって破れる破裂部とが一体的に形成される蓋部材と；貯蔵容器の開放端部に環状に配置される固定ラチェットと、蓋部材の端部プレートの内面において、前記固定ラチェットと対応する位置に形成され、固定ラチェットに対して一方向回転のみを許容する可動ラチェットとからなる分離手段と；を含んでなる容器を提供する。
【００５１】
また、前記目的を達成するため、本発明は、外周面に雄ネジが形成された注入口を持つ容器本体と；上端は開放され、下端には排出口が形成された円筒状収容部を持ち、下端から軸方向に破裂具が突設され、排出口周囲に軸方向に複数の破裂具が一体的に形成される貯蔵容器と；収容部の開放端に配置される端部プレートと、端部プレートの外周縁から軸方向に伸び、注入口に螺合される雌ネジが形成されたメインキャップと、端部プレートの内周縁から軸方向に伸びて前記収容部の内側に軸方向移動可能に挿入されるスライダーと、スライダーの下部に設けられ、前記破裂具によって破れる破裂部とが一体的に形成される蓋部材と；貯蔵容器の排出口周囲に環状に配置される固定ラチェットと、蓋部材のスライダーの下端において、前記固定ラチェットと対応する位置に形成され、固定ラチェットに対して一方向回転のみを許容する可動ラチェットとからなる分離手段と；を含んでなる容器を提供する。
【００５２】
前記貯蔵容器の開放端部の内周面には、スライダーの側面にすべり移動可能に接するシール突条が一体的に形成される。
【００５３】
また、前記目的を達成するため、本発明は、外周面に雄ネジが形成された注入口を持つ容器本体と；前記注入口の開放端に面接触する端部プレートと、端部プレートの外周縁から軸方向に伸び、注入口に螺合される雌ネジが形成されたメインキャップと、端部プレートの内周縁から軸方向に伸びて前記収容部の内側に軸方向移動可能に挿入され、端部に破裂部が一体的に形成された内部キャップとが一体的に形成される貯蔵容器と；前記内部キャップの上部に配置される仕上げプレートと、仕上げプレートの外周縁から軸方向に伸び、メインキャップの外周面に螺合される雌ネジが形成された上部キャップと、端部プレートの内周縁から軸方向に伸びて前記収容部の内側に軸方向移動可能に挿入され、前記破裂部を切開する破裂具が端部に一体的に形成されたスライダーとからなる蓋部材と；貯蔵容器の下部に切取可能に形成され、蓋部材の下降を制限する固定バンドと；を含んでなる容器を提供する。
【００５４】
破裂部は、周縁部が比較的薄く形成されることにより、ホルダーによって内部キャップに堅く連結される。
【００５５】
前記スライダーの内部には、長手方向全長にわたって半径方向内側に突出する撹拌突条が形成される。
【００５６】
前記スライダーの内部には、半径方向に突出する少なくとも一つの撹拌棒が一体的に形成される。
【００５７】
また、前記目的を達成するため、本発明は、外周面に雄ネジが形成された注入口を持つ容器本体と；前記注入口の開放端部に面接触する端部プレートと、端部プレートの外周縁から軸方向に伸び、注入口に螺合される雌ネジが形成されたメインキャップと、端部プレートの内周縁から軸方向に伸びて前記収容部の内側に軸方向移動可能に挿入され、端部に排出口及び係合突条が形成される内部キャップとが一体的に形成された貯蔵容器と；前記内部キャップの上部に配置される仕上げプレートと、仕上げプレートの外周縁から軸方向に伸び、メインキャップの外周面に螺合される雌ネジが形成された上部キャップと、端部プレートの内周縁から軸方向に伸びて前記収容部の内側に軸方向移動可能に挿入され、端部で栓によって密閉されるスライダーとが一体的に形成された蓋部材と；を含んでなる容器を提供する。
【００５８】
前記栓は、下端に係合突条にかかる係合突条を形成するフックが一体的に形成されることにより、係合突条の進入は許容するが離脱は制限する。
【００５９】
前記栓は、スライダーの下端に形成されたシール溝に結合されるシール突条を含んで、スライダーに対して分離可能に構成される。
【００６０】
前記栓はスライダーの下端に一体的に形成され、栓とスライダーとの間には比較的薄く形成される切取線が形成される。
【００６１】
前記切取線は斜めに形成される。
【００６２】
前記栓の上部外周面には、スライダーの内壁から突出する固定突条にかかる固定溝が形成され、スライダーに対して分離可能に形成される。
【００６３】
前記栓とスライダーとの間にはシールリングが介在される。
【００６４】
前記スライダーと内部キャップには、互いに対して軸方向に移動する時、気密維持及び干渉音発生のための干渉突条がそれぞれ形成される。
【００６５】
前記仕上げプレートには、干渉突条の作動音を外部に発散させる音発生部が形成される。
【００６６】
また、前記目的を達成するため、本発明は、外周面に雄ネジが形成された注入口を持つ容器本体と；前記注入口の開放端に面接触する端部プレートと、端部プレートの内周縁から軸方向に伸びて前記収容部の内側に軸方向移動可能に挿入され、端部に排出口が形成される内部キャップと、端部プレートの外周縁から半径方向外側に、前記注入口の雄ネジと同一の雄ネジが突設された貯蔵容器と；前記内部キャップの上部に配置される仕上げプレートと、仕上げプレートの外周縁から軸方向に伸び、注入口の雄ネジ及び端部プレートの雄ネジに同時に螺合される雌ネジが形成された上部キャップと、端部プレートの内周縁から軸方向に伸びて前記収容部の内側に軸方向移動可能に挿入され、端部に排出口が形成されるスライダーとが一体的に形成された蓋部材と；貯蔵容器の下部を覆い、スライダーと内部キャップ間の隙間を密封する破裂膜と；を含んでなる容器を提供する。
【００６７】
スライダーの下部には、貯蔵容器が蓋部材に対して設定位置以上に上昇することを制限する楔部が備えられる。
【００６８】
注入口の上面には下部ラチェットが形成され、これに対応する貯蔵容器の底面には上部ラチェットが形成されることにより、注入口に対する貯蔵容器の一方向回転のみを許容する。
【００６９】
貯蔵容器の上部には下部ラチェット片が形成され、これに対応する蓋部材の底面には、下部ラチェット片に対して一方向にだけ回転される下部ラチェット片が形成されることにより、蓋部材の回転力が貯蔵容器に伝達される。
【００７０】
前記排出口の上端及び下端にはそれぞれ環状のシール突条が突設される。
【００７１】
前記スライダーには、添加物収容空間を二分する分離壁が形成され、それぞれの分離空間にそれぞれ排出口及び開放口が形成される。
【００７２】
前記仕上げプレート上には、添加物収容空間に添加物を充填するための少なくとも一つの開放口が形成される。
【００７３】
また、前記目的を達成するため、本発明は、外周面に雄ネジが形成された注入口を持つ容器本体と；前記注入口の開放端部に面接触する端部プレートと、端部プレートの外周縁から軸方向に伸び、注入口に螺合される雌ネジが形成されたメインキャップと、端部プレートの内周縁から軸方向に伸びて前記収容部の内側に軸方向移動可能に挿入され、端部に破裂部が一体的に形成された内部キャップとが一体的に形成される貯蔵容器と；前記内部キャップの上部に配置される仕上げプレートと、仕上げプレートの外周縁から軸方向に伸び、メインキャップの外周面に螺合される雌ネジが形成された上部キャップと、端部プレートの内周縁から軸方向に伸びて前記収容部の内側に軸方向移動可能に挿入され、端部に一体的に形成され、前記破裂部を切開する破裂具とからなる蓋部材と；貯蔵容器の下部に切取可能に形勢さえ、蓋部材の下降を制限する固定バンドと；を含んでなる容器を提供する。
【００７４】
破裂部は周縁部が比較的薄く形成されることにより、ホルダーによって内部キャップに堅固に連結される。
【００７５】
前記スライダーの内部には、長手方向全長にわたって半径方向内側に突設される撹拌突起が形成される。
【００７６】
前記スライダーの内部には、半径方向に突出する少なくとも一つの撹拌棒が一体的に形成される。
【発明を実施するための最良の形態】
【００７７】
図１及び図２Ａ〜図２Ｄは本発明による容器の第１実施例を示す。図１は分解斜視図、図２Ａ〜図２Ｄは作動状態を示す。これによれば、本発明は、大きく注入口１１を持つ容器本体１０と、注入口１１の内側に結合されて添加物収容空間２を提供する添加物貯蔵容器２０と、注入口１１に螺合され、前記添加物貯蔵容器２０と連動して添加物収容空間２を密閉する蓋部材３０とから構成されている。
【００７８】
容器本体１０は、注入口１１の外周面に雄ネジ１２と、この外周面の雄ネジ１２の下方の位置に設けられた係合突条１４とを備えている。また、さらに、注入口１１の内周面には半径方向外側に突出する螺旋状の係合突条１１ａが形成されている。
【００７９】
添加物貯蔵容器２０は、両側が開放された円筒状に形成されたもので、外周面の軸方向中央部には、半径方向外側に環状の上昇突条２１が一体的に突設される。上昇突条２１は前記雄ネジ１２の傾斜と対応する傾斜を持つように斜めに形成されることが望ましい。また、添加物貯蔵容器２０は、上昇突条２１を基準としていずれか一側は容器本体１０の注入口１１に挿入される挿入部２２として形成され、反対側は注入口１１の外側に位置する露出部２４として形成される。上昇突条２１は外径が注入口１１より大きく形成されて、注入口の外部に露出した状態を維持する。挿入部２２０の外周面には、注入口１１の内側に形成された螺旋状係合突条１１ａと結合して添加物貯蔵容器２０の軸方向移動を制限する螺旋状の係合溝２２ａが形成され、露出部２４には連通孔２４ａが形成されている。また、挿入部２２の下端部には、半径方向内側に突出し、中央部に排出口２３が形成されたバルブシート２６が一体的に形成されている。
【００８０】
蓋部材３０は、一側が開放され、他側は密閉された円筒状に形成されたもので、円筒状の外壁３２と、外壁の一側を密閉させる密閉部３４とからなる。開放端の内周面には、前記注入口１１の雄ネジ１２に螺合される雌ネジ３２ａが形成されることで、容器本体１０に選択的に着脱可能に構成される。密閉部３４の中央には、軸方向に突出して伸びる支持軸３８が一体的に形成され、支持軸３８の端部には、前記バルブシート２６と接して排出口２３を選択的に開閉するバルブ部材３９が固定されている。バルブ部材３９は軟質材で形成され、バルブシート２６に接した状態でも、圧力をかければ弾性的に圧縮されてバルブシートに一層密着するように構成される。これは、良好なシールリング効果を与えるのに効果的である。また、蓋部材３０の密閉部３４側には、外壁３２から一定距離だけ内側に離隔した位置で軸方向に突設される円筒状の内壁３６が一体的に形成される。この内壁３６は、前記添加物貯蔵容器２０の露出部２４の内径に嵌め合わせられるように構成される。この際、嵌め合わせ公差は、中程度の嵌め合わせになってシールリング性能を良好に維持するように設定することが望ましい。また、外壁３２と内壁３６には、水平な同軸上に互いに配置されるように、外部注入孔３２ｂ及び内部注入孔３６ａが穿設される。それぞれの外部注入孔３２ｂ及び内部注入孔３６ａは、前記添加物貯蔵容器２０が注入口１１から開放される時、連通孔２４ａと予定位置で連通するように形成される。望ましくは、蓋部材３０が注入口１１から所定距離だけ開放された時、注入孔３２ｂ、３６ａと連通孔２４ａが一直線上に整列されるように構成される。前記添加物貯蔵容器２０の連通孔２４ａはネジ線の方向に沿って長孔状に形成されることにより、蓋部材３０の回転時、あらかじめ決められた角度以上の一定の角度の範囲内で、連通状態を維持するように構成されることが望ましい。
【００８１】
本発明によれば、前記螺旋状係合突条１１ａ及び係合溝２２ａは添加物貯蔵容器２０の軸方向移動を制限するための機能及びシールの機能を持つものであるが、必須な構成要素でない付加的な構成要素として理解しなければならない。すなわち、内容物が収容空間内に所定の圧力を形成する物質の場合、添加物貯蔵容器２０の軸方向移動に対する阻止力が要求される時に制限的に選択される。
【００８２】
このような本発明による容器の作動状態を説明する。（ここで、便宜上、‘内容物’とは容器本体１０に収容される物質を意味し、‘添加物’とは添加物貯蔵容器２０に収容される物質を意味する。）まず、図２Ａには密閉された状態、すなわち製品の初期状態が示されている。これによれば、内容物は密閉された内容物収容空間１内に収容され、添加物も内容物収容空間と隔離された状態の添加物収容空間２に貯蔵されている。添加物貯蔵空間２は、内壁３６、添加物貯蔵容器２０、バルブ部材３９及びバルブシート２６によって密閉される。ここで、外部注入孔３２ｂ及び内部注入孔３６ａは連通孔２４ａより容器本体１０側にもっと進入した状態で互いにずれているので、添加物貯蔵容器２０内の空間は密閉状態を維持することになる。また、蓋部材３０の内壁３６は添加物貯蔵容器２０の露出部２４に嵌め合わせされており、上昇突条２１は蓋部材３０の外壁３２内面に密着した状態を維持しているので、添加物収容空間２は良好な密封状態を維持する。
【００８３】
このような状態で、蓋部材３０を開放される方向（反時計方向）に回転させれば、図２Ｂに示すように、バルブ部材３９が上昇してバルブシート２６との間に隙間が発生し、添加物は容器本体１０内に投入されて内容物と混合される。この際、蓋部材３０が回転するにしたがい、外部注入孔３２ｂ及び内部注入孔３６ａは螺旋状に回転して上昇し、予定位置で添加物貯蔵容器２０の連通孔２４ａと一致することになって、大気圧が添加物収容空間２に作用して添加物の投入が円滑になる。図２Ｂに示す状態では、外部注入孔３２ｂ及び内部注入孔３６ａと連通孔２４ａが同軸上に位置した状態で、排出口２３が少し開放されているものとして示されているが、実際排出口２３は、外部注入孔３２ｂ及び内部注入孔３６ａと連通孔２４ａが同軸上に位置する角度は所定角度範囲内にある。この際、一致し始める初期状態で排出口２３は密閉された状態を維持することになり、所定の角度を回転した状態ではじめて排出口２３の開放が開示される。その必要性は図２ｃの説明から分かる。
【００８４】
ついで、蓋部材３０を反時計方向に回転させれば、図２ｃに示すように、雌ネジ３２ａが添加物貯蔵容器２０の上昇突条２１にかかることになり、続いて蓋部材３０が回転すれば、雌ネジ３２ａと上昇突条２１の干渉によって添加物貯蔵容器２０が軸方向に移動することになる。そして、蓋部材をさらに数回だけ回転させれば、図２ｄに示すように、添加物貯蔵容器２０は、螺旋状係合溝２２ａが螺旋状係合突条１１ａから離脱して注入口１１から完全に分離される。
【００８５】
一方、本発明は、先の説明では製品の出荷時に予め添加物が収容されている状態に対して説明している。しかし、本発明は、添加物収容空間を空けた状態で製品が出荷され、使用者によって現場で所望添加物を収容空間に入れ込んで使用することも可能である。
【００８６】
すなわち本発明は、蓋部材３０を反時計方向に回転させれば、図２Ｂの状態の直前位置、すなわちバルブ部材３９とバルブシート２６との間に隙間が生じる前の位置で、外部注入孔３２ｂ及び内部注入孔３６ａが連通孔２４ａと一致し始める。これは、連通孔２４ａが長孔状に形成され、蓋部材３０の回転時、一定角度範囲で外部注入孔３２ｂ及び内部注入孔３６ａが相互に連通する状態を維持するように構成されることによって可能になる。したがって、前記のような状態で使用者が所望量の添加物を入れ込めば、添加物は容器本体１０内に投入されないで添加物貯蔵容器２０内の収容空間２に貯蔵された状態を維持することになる。このような状態で、蓋部材３０を時計方向に締めれば、バルブ部材３９はバルブシート２６にもっと堅く密着して初期の製品出荷状態のようになり、反対に、反時計方向に解けば、添加物は図２ｂで説明したような作用によって容器本体１０内に投入される。
【００８７】
図３は本発明による容器本体の注入口の成形例を示す。容器本体１０の注入口１１は、注入口１１の螺旋状係合突条１１ａを効果的に構成するために、注入口部材１８を別に成形し、これを容器本体１０の入口に組み立てると同時に成形する、いわゆる二重射出成形法によって形成されることが望ましい。
【００８８】
図４は本発明による容器の第２実施例の構成を示す。ここで、本発明の第１実施例と同一の構成に対しては同じ符号を付け、その詳細な説明は省略する。ここでは、蓋部材３０と添加物貯蔵容器２０のシールをより緊密に維持するようにする構造について説明する。このため、添加物貯蔵容器２０の露出部の内周面には段差部２８が形成される。段差部２８には、蓋部材３０の内壁３６の端部が軸方向に一定深さで挿入されるように第１シール溝２８ａが形成されている。また、内壁３６の外側には、露出部２４の端部が軸方向に一定深さだけ挿入されるように第２シール溝３４ａが形成されている。
【００８９】
前記添加物貯蔵容器２０は、弾力及び伸縮性あるシリコン、無毒性ゴム、無毒性ＰＶＣなどの軟質材料で表面をコートすることで、内壁３６と結合して効果的なシールリングを具現することができるようになる。これは、収容空間２の内部の添加物が炭酸飲料のようにガスを含む物質である時、ガスの漏出を効果的に制限することができる。
【００９０】
図５は本発明の第３実施例の構成を示す。これは、本発明の容器がフラスコ（ｐｌａｓｋ）、試験管、葡萄酒瓶、缶などの注入口の外側にネジが形成されていない容器に適用される実施例を開示している。これによれば、注入口４２の外周面には半径方向外側に突出する環状のストッパー４２ａが形成されている。
【００９１】
添加物貯蔵容器２０は、本発明の第２実施例と同一の構成であるので、その詳細な説明を省略し、符号は同一に引用する。貯蔵容器２０の露出部２４の内周面には段差部２８が形成される。段差部２８には、蓋部材５０の内壁５６の端部が軸方向に一定深さだけ挿入されるように、第１シール溝２８ａが形成されている。
【００９２】
蓋部材５０は、一側が開放され、他側は密閉された円筒状に形成されるもので、円筒状の外壁５２と、外壁５２の一側を密閉させる密閉部５４とからなる。開放端の内周面には、前記注入口４２のストッパー４２ａにかかるフック５２ａが形成されている。蓋部材５０の密閉部５４側には、外壁５２から一定距離だけ内側に離隔した位置で軸方向に突設される円筒形状の内壁５６が一体的に形成される。この内壁５６は、前記添加物貯蔵容器２０の露出部２４の内径部に嵌め合わせられるように構成される。内壁５６の外側の密閉部５４には、露出部２４の端部が軸方向に一定深さだけ挿入されるように第２シール溝５４ａが形成されている。また、外壁５２と内壁５４には、それぞれ一直線上に外部注入孔５２ｂ及び内部注入孔５６ａが穿設される。それぞれの外部注入孔５２ｂ及び内部注入孔５６ａは、前記添加物貯蔵容器２０の連通孔２４ａと予定位置で連通するように形成される。望ましくは、蓋部材５０が注入口から所定距離だけ軸方向上部に移動した状態で、それぞれの注入孔が一直線上に配置されるように構成される。また、蓋部材５０の密閉部５４には、半径方向外側に拡張されて、軸方向への分離が容易になるように把持部５４ｂが形成されている。
【００９３】
このような第３実施例は、把持部５４ｂを軸方向に引き上げればフック５２ａがストッパー４２ａから離脱し、一定距離移動すればフック５２ａが上昇突条２１にかかって添加物貯蔵容器２０を注入口４２から分離させることになる。よって、この過程で、添加物収容空間２に保有されていた添加物が容器本体４０の内容物収容空間１に投入される。よって、このような第３実施例は前述した注入口の周縁にネジが提供されていない容器に効果的に適用することができることになる。
【００９４】
図６Ａ及び図６Ｂは本発明の第４実施例の構成を示す。これらは、本発明を容器の底面に構成したものについて開示している。
【００９５】
この実施例によれば、容器本体６０の下部壁６４に供給口６４ａが形成され、下部壁６４から下部に延長され、外周面に係合溝６２ａが形成される延長壁６２が一体的に形成される。また、一側が開放される円筒状に形成され、前記延長壁６２内にスライド可能に挿入される添加物貯蔵容器７０を含む。添加物貯蔵容器７０の中央部に軸方向に突出する支持軸７６が形成され、支持軸７６の端部には、前記供給口６４ａを選択的に開閉するバルブ部材７８が固定されている。添加物貯蔵容器７０の円筒部７２の外側には雄ネジ７２ａが形成される。添加物貯蔵容器７０の外側には、一側が開放される円筒状の蓋部材８０が配置される。蓋部材８０は一側が閉鎖された円筒状の外壁８２を含んでいるもので、その外壁８２の内面には、前記雄ネジ７２ａと螺合する雌ネジ８２ａが形成される。外壁８２の端部には、前記延長壁６２の係合溝６２ａにかかる係合突条８２ｂが形成される。係合溝６２ａと係合突条８２ｂとの間にはシール部材８４が介在されることで内容物の漏出を防止する。また、延長壁６２の下端と外壁８２の内側には軸方向に相互に嵌め合わせられる折曲密着部７４を形成して経路を長く形成することが望ましい。
【００９６】
このような本発明の第４実施例では、製品の出荷の時、図６Ａに示すように、バルブ部材７８が供給口６４ａを塞いでいるので、添加物収容空間２と内容物収容空間２は相互に隔離した状態を維持し、作動部材８０を回転させれば、雌ネジ８２ａ及び雄ネジ７２ａの相互作用によって添加物貯蔵容器７０が下降することになる。したがって、供給口６４ａが開放されるので、内容物収容空間１と添加物収容空間２が相互に交通可能になる。このような状態で、使用者は容器本体６０を逆にするか、あるいは上下に振って両空間の内容物と添加物を混合することができることになる。このような実施例においては、添加物貯蔵容器を容器の下部に配置することで、より大容量の添加物投入が必要な場合に容易に適用することができる。
【００９７】
図７Ａ及び図７Ｂは本発明の第５実施例の構成を示す。この実施例は、２種の添加物を使用するように二つの添加物収容空間を備えた構成に対して開示している。本発明の第１実施例と同一の構成はその詳細な説明を省略し、符号は同じに付ける。この実施例は、外周面に雄ネジ１２が形成された注入口１１を持つ容器本体１０と、注入口１１の内側に押し込まれ、添加物収容空間を形成する添加物貯蔵容器９０と、注入口１１に螺合され、前記添加物貯蔵容器９０と連動して添加物収容空間を密閉するとともに内部を二つの隔離した添加物収容空間２、３に区画する蓋部材９４とから構成されている。
【００９８】
添加物貯蔵容器９０は一側が開放された円筒状に形成されるもので、中央部の外周面には、半径方向外側に突出する環状の上昇突条９１が一体的に形成される。添加物貯蔵容器９０の開放端には連通孔９２が形成され、添加物貯蔵容器９０の下端部の周囲には複数の排出口９３が形成されている。また、添加物貯蔵容器９０の底面は、添加物が内容物収容空間１に順調に投入されるように、中央部分が膨らんでいるように構成される。また、底面には、それぞれ後述する内壁９７と分離壁９８の下端が接する部分にシール部材９９を取り付けて添加物収容空間のシールを効果的になすように構成される。
【００９９】
蓋部材９４は、一側が開放され、他側は密閉部９５によって密閉される円筒状の外壁９６を含む。密閉部９５には、添加物貯蔵容器９０の上端が挿入されるシール溝９５ａが形成される。外壁９６の内周面には、前記注入口１１の雄ネジ１２に螺合される雌ネジ９６ａが形成され、密閉部９５の中央には軸方向に突出して伸びる分離壁９８が一体的に形成され、蓋部材９４の密閉部９５側には外壁９６から一定距離だけ内側に離隔した位置で軸方向に突設される円筒状の内壁９７が一体的に形成される。この内壁９７は、前記添加物貯蔵容器２０内に軸方向移動可能に嵌め合わせられる。また、外壁９６と内壁９７には、それぞれ一直線上に外部注入孔９６ｂ及び内部注入孔９７ａが穿設される。外部注入孔９６ｂ及び内部注入孔９７ａと連通孔９２の構成及び作動は本発明の第２実施例と同様である。
【０１００】
第５実施例においては、図７ａのように、分離壁９８によって、互いに異なる種類、例えば砂糖とクリーム粉末などの材料が分離されて貯蔵されている状態で、使用時に蓋部材９４を回転させれば、図７ｂに示すように、内壁９７が上昇して排出口９３が開放されるので、それぞれの収容空間２３内の添加物が内容物収容空間１に投入される。この際添加物は、底面が膨出しているので、自重によって投入が順調に進行される。また、蓋部材がさらに回転すれば、本発明の第１実施例と同様に、雌ネジ９６ａが上昇突条９１と干渉して添加物貯蔵容器９０を注入口１１から分離させることになる。
【０１０１】
このような第５実施例においては、互いに異なる２種の添加物を効果的に保管し、必要時に混合使用することができることになり、また、添加物収容空間は排出口９３及び分離壁９８を適切に設計変更することによって、三つ以上の空間にも区画することができるので、多種の混合物を要する場合にも効果的に利用することができる。
【０１０２】
図８は容器蓋に係る本発明による第６実施例の構成を示す。これは、ラチェット構造によって貯蔵容器を効果的に分離し得るようにした構成に対して開示している。
【０１０３】
この実施例は、外周面に雄ネジ１１２が形成された注入口１１１を持つ容器本体１１０と、注入口１１１の内側に分離可能に挿入される貯蔵容器１２０と、注入口１１１の雄ネジ１１２に螺合され、螺合部が所定距離だけ解ければ、貯蔵容器と干渉して、添加物を放出するとともに貯蔵容器１２０を注入口１１１から分離させる蓋部材１３０とから構成される。
【０１０４】
前記貯蔵容器１２０は、上端は開放され、下端は密閉されている円筒状の収容部１２２を含み、収容部１２２の下端周縁に沿って複数の排出口１２２ａが形成され、開放端にはフランジ１２４が一体的に形成されている。
【０１０５】
前記蓋部材１３０は、収容部１２２の開放端に面接触する端部プレート１３２と、この端部プレート１３２の外周縁から軸方向に伸び、注入口１１１に螺合される雌ネジ１３４ａが形成されたメインキャップ１３４と、端部プレート１３２の内周縁から軸方向に伸び、前記収容部１２２の内側に軸方向移動可能に挿入されて排出口１２２ａを選択的に開閉するスライダー１３６とが一体的に形成される。蓋部材１３０には、前記端部プレート１３２の外側でスライダー１３６の上部を閉鎖する仕上げプレート１３８が一体的に形成される。
【０１０６】
前記収容部１２２のフランジ１２４には、収容部から半径方向外側に拡張される外側突条１２４ａが一体的に形成され、収容部の外周面には、フランジから所定距離に、前記注入口１１１の雄ネジ１１２と同一ピッチを持つ雄ネジ１２２ｂが形成され、メインキャップ１３４の雌ネジ１３４ａ形成区間の最内側には、収容部１２２の雄ネジ１２２ｂに螺合され、予定位置で外側突条１２４ａと干渉する外側係合突条１３４ｂが半径方向内側に突設される。
【０１０７】
図９を参照すれば、前記収容部１２２には、フランジ１２４に隣接した部分に、円周上に内部ラチェット１２６が形成され、外側係合突条１３４ｂの端部には、内部ラチェット１２６に対して、いずれか一方向への回転のみを許容する外部ラチェット１３４ｃが形成される。
【０１０８】
前記フランジ１２４には、半径方向内側に拡張される内側突条１２４ｂが形成され、スライダー１３６の外周面のうち外側係合突条１３４ｂと対応する位置には、内側突条１２４ｂにかかる内側係合突条１３６ａが半径方向外側に突設される。
【０１０９】
前記端部プレート１３２には、フランジ１２４によって開閉される少なくとも一つの連通孔１３２ａが形成される。ここで、連通孔１３２ａは、図面に示すように、端部プレート１３２上に形成されたものを例として挙げているが、本発明は連通孔の位置をスライダー１３６の上端に形成することも予想することができる。すなわち、閉まった状態では、連通孔が収容部の内壁によって塞がっており、蓋部材の上昇時に収容部から離脱することになるので、同一効果を持つことができるものである。
【０１１０】
図１０Ａを参照すれば、前記収容部１２２の外周面には注入口１１１の内側面に接して気密を維持する複数のシール突条１２２ｃが一体的に形成される。
【０１１１】
このようなシール突条は多様な形態に形成されることができ、図１０Ｂのように、山形のシール突条１２２ｄに形成されることも望ましい。
【０１１２】
貯蔵容器１２０の底面１２１は、中央に行くほど徐々に上方に膨らむように構成して、収容空間に入っている添加物が手軽く排出されるように構成される。
【０１１３】
貯蔵容器１２０の底面１２１のうち、スライダー１３６の端部と接する部分には、シール部材１２７が埋め込まれているので、閉鎖時のシール効果を向上させることになる。
【０１１４】
図１１Ａ及び図１１Ｂはこのような本発明の第６実施例の作動状態を示す。この実施例によれば、閉まっている状態、すなわち図８のような初期状態で、蓋部材１３０を開放方向（反時計方向）に回転させれば、メインキャップ１３４の雌ネジ１３４ａと外側係合突条１３４ｂはそれぞれ注入口１１１の雄ネジ１１２と収容部１２２の雄ネジ１２２ｂに沿って螺旋運動しながら軸方向に移動することになる。この際、内側係合突条１３６ａは収容部１２２の内面に沿って摩擦しながらスライド移動することになる。このように蓋部材１３０が上昇し始めれば、スライダー１３６の下端が収容部の底面１２１から離脱して排出口１２２ａを開放するので、添加物が容器本体１１０の内部に投入される。また、蓋部材１３０の上昇が開始されるとともに端部プレート１３２がフランジ１２４から分離されるので、連通孔１３２ａが開放されて外気が添加物収容空間２に作用することによって添加物の排出が容易になることになる。
【０１１５】
一方、上昇動作が続けて行われれば、図１１Ａに示すように、外側係合突条１３４ｂが外側突条１２４ａに触れ、同時に内側係合突条１３６ａも内側突条１２４ｂに触れ合うことになる。このような状態で、容器本体１１０は良好なシール性能を維持することになる。すなわち、収容部１２２の外周面に複数のシール突条１２２ｃが提供されるので、注入口１１１と収容部１２２間のシールがなされ、内側係合突条１３６ａが収容部１２２の内壁に密着した状態を維持しているので、シール状態が良好になるものである。よって、使用者が一次に添加物は投入した状態で、容器本体１１０を逆に立てるか又は振って内容物と添加物を混合しても混合物の漏出が発生しなくなる。
【０１１６】
一方、図１１Ａの状態では、外側係合突条１３４ｂの先端に形成される外部ラチェット１３４ｃが収容部１２２の内部ラチェット１２６と干渉して、蓋部材１３０と貯蔵容器１２０間の相手回転が制限される。よって、図１１Ａの状態以後の蓋部材１３０の回転は貯蔵容器１２０の回転を伴うことになる。このような状態で、蓋部材１３０をさらに回転させれば、メインキャップ１３４の雌ネジ１３４ａが注入口１１１の雄ネジ１１２から離脱することになる。使用者が蓋部材１３０を回転させるとともに軸方向に引っぱれば、図１１Ｂに示すように、貯蔵容器１２０は蓋部材１３０とともに回転して注入口１１１から分離される。
【０１１７】
図１２は本発明の第７実施例の構成を示す。本発明の第６実施例と同一又は等価のものの構成は同一符号を付け、その詳細な説明は省略する。これは、第６実施例の仕上げプレートが分離されて構成されるものを開示している。
【０１１８】
端部プレート１３２の外周縁には軸方向に延長部１３５が形成される。そして、この延長部１３５に選択的に結合される上部キャップ１４０が提供されている。
【０１１９】
このような本発明の第７実施例は、製品出庫の時、添加物が収容されていなく、必要によって使用者が上部キャップ１４０を開放して添加物収容空間２に添加物を一定量投入することができるものであって、任意の添加物投入が可能になる。また、添加物が挿入された状態で出庫した場合にも、使用後に再使用が可能になる効果を持つ。
【０１２０】
図１３は本発明の第８実施例の構成を示す。これは、上部キャップ１４０が蓋部材１３０に一体的に形成されるものを開示している。
【０１２１】
上部キャップ１４０は連結帯１４２によって蓋部材１３０のメインキャップ１３４に一体的に連結されている。上部キャップ１４０は蓋部材１３０と同時に射出される。このような本発明の第８実施例は、上部キャップ１４０が開放された状態でも、常時蓋部材１３０に附属されているので、上部キャップ１４０の紛失のおそれがなくて管理が容易な利点を持つ。
【０１２２】
図１４は本発明による容器蓋の第９実施例の構成を示す。これは、収容部１２２を二分して２種の添加物を同時に投入することができる構成を開示している。
【０１２３】
収容部１２２には、底面１２１を直径方向に横切る分離壁１２８が上向きに伸びて収容部１２２の内部を二分するように構成されている。また、上部キャップ１４０には、前記分離壁１２８の上端が挿入される挿入溝１４４が形成されている。図１５を参照すれば、挿入溝１４４は上部キャップ１４０の底面に二つの突条を形成してその間に形成されるもので、両端に所定のギャップ１４４ａを形成して延長部１３５との干渉を避けるように構成される。
【０１２４】
このような第９実施例分離壁によって収容部１２２内部が二分されて形成されるので、相違なる２種の添加物を投入することができる効果を持つ。例えば、内容物がコーヒーの場合、二分された収容部にそれぞれ砂糖とクリームを別に保管して使用者が直接混入して飲用するようにすることで、製品の新鮮度及び衛生性を向上させることができる効果を持つ。
【０１２５】
図１６は本発明の第１０実施例の構成を示す。これは、延長部を利用して公知のスポーツキャップに適用することができる構造を開示している。延長部１３５には、注入口の雄ネジと同一のピッチ及びピッチ円直径を持つ雄ネジ１３５ａが形成され、この雄ネジ１３５ａに螺合する雌ネジ１５２を持つスポーツキャップ１５０が提供される。スポーツキャップ１５０は、上部に備えられる作動ボタン１５４を押すか又は引くことによって開閉が可能になるものである（作動ボタンの構成は公知技術のものであるので、その詳細な説明は省略する）。蓋部材１３０及び貯蔵容器１２０が分離した後、雄ネジ１３５ａのピッチが注入口の雄ネジ１１２と同一であるので、スポーツキャップ１５０のみを注入口１１１に結合して使用することが可能である。すなわち、スポーツキャップ１５０を結合した状態で、混合物を飲用することができることになる。
【０１２６】
本発明の第１０実施例の技術思想は前記第７実施例〜第９実施例で説明した上部キャップ１４０に適用可能であることが分かる。すなわち、上部キャップ１４０に雌ネジを形成することによって、注入口の開放後、上部キャップ１４０を注入口に結合して使用することが予想できる。
【０１２７】
図１７は本発明の第１１実施例の構成を示す。
【０１２８】
この実施例は、大きくは、外周面に雄ネジ２１２が形成された注入口２１１を持つ容器本体２１０と、注入口２１１の内側に分離可能に挿入される貯蔵容器２２０と、注入口２１１の雄ネジ１１２に螺合され、この螺合部が締められながら添加物を放出し、所定距離だけ解ければ、前記貯蔵容器２２０と干渉して貯蔵容器２２０を注入口２１１から分離させる蓋部材２３０とから構成される。
【０１２９】
前記貯蔵容器２２０は、上端は開放され、下端は密閉されている円筒状の収容部２１０と、収容部２１０の下端に設けられ、破断線２２１ａに沿って選択的に切取される破裂部２２１とが一体的に形成されている。
【０１３０】
前記蓋部材２３０は、収容部２２２の開放端、すなわち後述するフランジ２２４から所定距離を置いて結合される端部プレート２３２と、この端部プレート２３２の外周縁から軸方向に伸び、注入口２１１に螺合される雌ネジ２３４ａが形成されたメインキャップ２３４と、端部プレート２３２の内周縁から軸方向に伸び、前記収容部２２２の内側に軸方向移動可能に挿入され、下端に刃部２３６ｂが形成されるスライダー２３６とが一体的に形成される。刃部２３６ｂは直径方向に対向するように２箇所に部分的に形成される。蓋部材２３０には、前記端部プレート２３２の外側にスライダー２３６の上部を閉鎖する仕上げプレート２３８が一体的に形成される。
【０１３１】
前記蓋部材２３０とフランジ２２４間の離隔距離Ｌは、蓋部材２３０がさらに進入する場合、約１５０〜１７０度さらに回転することができる程度が望ましい。すなわち、蓋部材２３０が最大１／２回転未満で回転すれば、収容部材２２０とまったく結合されて、それ以上の進入が制限されるように構成される。
【０１３２】
前記収容部２１０の開放端には、収容部から半径方向外側に拡張される外側突条２２４ａを持つフランジ２２４が一体的に形成され、収容部の外周面には、フランジから所定距離に前記注入口２１１の雄ネジ２１２と同一ピッチを持つ雄ネジ２２２ｂが形成され、メインキャップ２３４の雌ネジ２３４ａ形成区間の最内側には、収容部２２２の雄ネジ２２２ｂに螺合され、予定位置で外側突条２２４ａにかかる外側係合突条２３４ｂが半径方向内側に突設される。
【０１３３】
また、前記フランジ２２４には半径方向内側に内側突条２２４ｂが延設され、スライダー２３６の外周面のうち、外側係合突条２３４ｂと対応する位置には前記内側突条２２４ｂにかかる内側係合突条２３６ａが半径方向外側に突設される。
【０１３４】
図１８を参照すれば、前記収容部２２２のフランジ２２４に隣接した谷部には円周上に内部ラチェット２２６が形成され、外側係合突条２３４ｂの端部には内部ラチェット２２６に対していずれか一方向への回転のみを許容する外部ラチェット２３４ｃが形成される。
【０１３５】
前記仕上げプレート２３８には、別途のステッカー又はテープなどによって塞がり、必要によって開放される少なくとも一つの連通孔２３８ａが形成される。
【０１３６】
貯蔵容器２２０の底部、すなわち破裂部２２１は収容部と同一材質で構成されるもので、比較的薄く形成されてスライダー２３６の刃部２３６ｂによって容易に切開されるように構成されなければならない。
【０１３７】
図１８Ａと図１８Ｃとはこのような本発明による容器蓋の第１１実施例の作動状態を示す。これによれば、初期状態、すなわち図１７と同じような状態では、前述したように、端部プレート２３２がフランジ２２４から所定距離だけ離隔した状態を維持する。このような状態では、添加物収容空間内に保管される添加物は内側突条２２４ｂにかかる内側係合突条２３６ａのシール機能によって効果的に密閉状態を維持することになる。
【０１３８】
このような状態で、添加物を内容物に混合させようと蓋部材２３０を締める方向、すなわち時計方向に回転させれば、蓋部材２３０は収容部２２２の雄ネジ２２２ｂ及び注入口２１１の雄ネジ２１２に沿って回転しながら下降することになる。この際、蓋部材２３０の回転量は端部プレート２３２とフランジ２２４間の距離に相応する回転角度だけ許容される。この時の角度は約１５０〜１７０度になる。このような作用が進むとともにスライダー２３６の下端の刃部２３６ｂは破断線２２１ａに沿って移動して破裂部２２１を切断しながら徐々に下降することになり、添加物が内容物収容空間１に投入されて混合される。本発明によれば、初期状態から開放動作が進む時、すなわち初期進入時の蓋部材２３０の回転角は約１５０〜１７０度程度回転することになり、破裂部２２１は収容部２２２から完全に分離しないで一部が付いている状態を維持することになる。
【０１３９】
一方、開放動作時には、連通孔２３８ａを塞いでいるステッカー又はテープを除去した状態で実施して、外気が添加物収容空間に作用するようにすることで、添加物の排出が容易になる。
【０１４０】
本発明によれば、開放動作時の蓋部材２３０の回転角は３３０〜３６０度に構成することも予想できる。この際、刃部は１箇所に形成することで、破裂部２２１が完全に分離して内容物収容空間１に挿入されることを防止することができる。
【０１４１】
そして、以下では容器蓋を注入口から分離する動作について説明する。添加物と内容物の混合が完了した状態、すなわち図１８Ａのような状態で、蓋部材２３０を反時計方向に回転させれば、メインキャップ２３４の雌ネジ２３４ａと外側係合突条２３４ｂはそれぞれ注入口２１１の雄ネジ２１２と収容部２２２の雄ネジ２２２ｂに沿って螺旋運動して軸方向に移動することになる。この際、内側係合突条２３６ａは収容部２２２の内面に沿って摩擦しながらスライド移動することになり、上昇動作が続けば、図１８Ｂに示すように、外側係合突条２３４ｂが外側突条２２４ａに触れ、同時に内側係合突条２３６ａも内側突条２２４ｂに触れ合うことになる。
【０１４２】
一方、図１８Ｂの状態では、外側係合突条２３４ｂの先端に形成される外部ラチェット２３４ｃが収容部２２２の内部ラチェット２２６と干渉することにより、蓋部材２３０と貯蔵容器２２０間の相手回転が制限される。よって、図１８Ｂ状態以後の蓋部材２３０の回転は貯蔵容器２２０の回転を伴うことになる。このような状態で、蓋部材２３０をさらに回転させれば、メインキャップ２３４の雌ネジ２３４ａが注入口２１１の雄ネジ２１２から離脱することになる。使用者は、蓋部材２３０をさらに回転させるとともに軸方向に引っぱれば、図１８Ｃに示すように、貯蔵容器２２０は蓋部材２３０とともに回転して注入口２１１から分離される。
【０１４３】
図１９及び図２０は本発明による容器蓋の第１２実施例の構成を示す。本発明の第１１実施例と同一の構成は同一符号を付け、その詳細な説明は省略する。ここでは、仕上げプレートが蓋部材から分離される構造を開示する。
【０１４４】
端部プレート２３２の外周縁には軸方向に延長部２３５が形成される。そして、この延長部２３５に選択的に結合される上部キャップ２４０が提供されている。
【０１４５】
図２０に示すように、上部キャップ２４０には内側面に所定間隔を持つシール突条２４４ａ、２４４ｂが突設され、延長部２３５には、前記シール突条２４４ａ、２４４ｂ間に挿入されるシール突条２３５ａが形成されることが望ましい。
【０１４６】
このような本発明の第１２実施例は、製品出庫の時に添加物が収容されていないで、必要によって使用者が上部キャップ２４０を開放して添加物を一定量投入することができるもので、任意の添加物投入が可能になる。また、添加物が挿入された状態で出庫した場合にも使用後に再使用が可能な効果を持つ。
【０１４７】
前記上部キャップは、本発明の第９実施例と同様に、蓋部材に一体的に形成することが望ましい。すなわち、上部キャップは連結帯によって蓋部材のメインキャップに一体的に連結されている。これにより、上部キャップは蓋部材と同時に射出が可能になる。
【０１４８】
このような本発明の第１２実施例は、上部キャップ２４０が開放された状態でも常に蓋部材２３０に附属しているので、上部キャップ２４０の紛失のおそれがなく管理が容易な利点を持つ。
【０１４９】
図２１は本発明による容器蓋の第１３実施例の構成を示す。これは、延長部を利用して公知のスポーツキャップを適用することができる構造を開示する。延長部２３５には、注入口の雄ネジが同一ピッチ及びピッチ円直径を持つ雄ネジ２３５ａが形成され、この雄ネジ２３５ａに螺合する雌ネジ２５２を持つスポーツキャップ２５０が提供される。スポーツキャップ２５０は上部に提供される作動ボタン２５４を押すか又は引くことによって開放可能になるもので、蓋部材２３０及び貯蔵容器２２０が分離した後にスポーツキャップ２５０を注入口２１１に結合して使用することが可能である。すなわち、スポーツキャップ２５０を結合した状態で混合物を飲用することができることになる。
【０１５０】
前記第８、９、１０、１２、１３実施例は、使用者が上部キャップ又はスポーツキャップを開放して添加物を空けた状態でメインキャップを開放することができるので、内容物のみを飲用しようとする使用者に効果的に選択できる。
【０１５１】
図２２は本発明の第１４実施例の構成を示す分解斜視図、図２３はその結合状態を示す断面図である。ここでは、薄型の破裂部によって添加物を投入する構造を開示している。
【０１５２】
これによれば、本発明は、大きくは、外周面に雄ネジ３１２が形成される注入口３１１を持つ容器本体３１１と、注入口３１１の内側に分離可能に挿入される貯蔵容器３２０と、注入口３１１の雄ネジ３１２に螺合され、回転時に添加物が放出されるとともに、予定位置でラチェットの相互作用によって貯蔵容器と干渉して貯蔵容器３２０を注入口３１１から分離させる蓋部材３３０とから構成される。
【０１５３】
前記貯蔵容器３２０は円筒状に形成されるもので、上端は開放され、下端には排出口３２２ａが形成されている。排出口３２２ａの一側にはフック３２４が一体的に形成されている。
【０１５４】
前記蓋部材３３０は、収容部２１０の開放端に形成される円筒状の端部プレート３３２と、この端部プレート３３２の外周縁から軸方向に伸び、注入口３１１に螺合される雌ネジ３３４ａが形成されたメインキャップ３３４と、端部プレート３３２の内周縁から軸方向に伸び、前記収容部３２２の内側に軸方向移動可能に挿入されるスライダー３３６とが一体的に形成される。
【０１５５】
スライダー３３６の下端は破裂部３３８によって密閉されるように構成されている。破裂部３３８の底面には、前記フック３２４と結合される係留具３３８ａが一体的に固定されている。破裂部３３８は外力の印加時に容易に破裂し得る材質で形成されるもので、貯蔵容器３３０と同一の合成樹脂を薄くして一体的に形成することが望ましい。また、面相には易しく破裂されるように非常に薄く処理される切取線（図示せず）を形成することが望ましい。破裂部３３８としてはアルミニウム薄板などを利用することもできる。より望ましくは、破裂部３３８は破裂は容易であるが、破裂後に相互に分離しないで一体形態を維持するように構成されることが良い。
【０１５６】
一方、貯蔵容器３２０の開放端の内周面には、環状に形成される固定ラチェット３２６が一体的に形成され、スライダー３３６の外周面には、蓋部材３３０が注入口３１１に対して解放される時、予定位置で前記固定ラチェット３２６と干渉する可動ラチェット３３７が一体的に形成されている。
【０１５７】
前記固定ラチェット３２６及び可動ラチェット３３７はそれぞれ軸方向に面接触するように構成されるもので、それぞれ蓋部材３３０が解放される方向に回転する時、互いに干渉して相手の回転を制限するように構成される。また、前記固定ラチェット３２６及び可動ラチェット３３７の後面には、それぞれスライダー３３６が貯蔵容器２２０の内側に進入し易いように傾斜面３２６ａ、３３７ａが形成される。
【０１５８】
未説明符号３２２ｂは注入口３１１に対する貯蔵容器３２０の組立位置を規定する係止リング、３３２ａは出入口、３４０は出入口開閉用上部キャップである。
【０１５９】
この実施例の作動を説明する。図２３は本発明の初期状態を示している。この状態では、蓋部材３３０が注入口３１１に完全に締結された状態を維持し、固定ラチェット３２６と可動ラチェット３３７は軸方向に離隔した状態を維持し、係留具３３８ａがフック３２４にかかっている。前記固定ラチェット３２６と可動ラチェット３３７は傾斜面３２６ａ、３３７ａを持っているので、最初にスライダー３３６が収容部２１０に進入する時、貯蔵容器３２０の上部開放端が半径方向外側に弾性変形して組立が可能になる。
【０１６０】
このような状態で、蓋部材３３０を反時計方向に回転させれば、図２４Ａに示すように、係留具３３８ａがフック３２４にかかっているので、破裂部３３８が破れ、添加物が排出口３２２ａを通じて容器本体３１０内に投入される。続いて、蓋部材３３０が回転しながら上昇すれば、可動ラチェット３３７は固定ラチェット３２６にかかることになる。この時点から蓋部材３３０の回転は貯蔵容器３２０の回転を誘発させるともに貯蔵容器３２０を軸方向に移動させることになる。すなわち、固定ラチェット３２６と可動ラチェット３３７は相互に回転が制限され、蓋部材３３０は軸方向に移動しようとする力を持つので、貯蔵容器３２０が注入口３１１の内面との間でスリップして移動を開始することになる。
【０１６１】
そして、蓋部材３３０が注入口３１１からまったく解放された後には、蓋部材３３０を軸方向に引っぱることによって、貯蔵容器３２０が、図２４Ｂに示すように、注入口から完全に分離される。
【０１６２】
一方、図２５及び図２６は本発明の第１５実施例を示す。第１４実施例と同一構成は同一符号を付け、その詳細な説明は省略する。ここでは、分離手段の構成に対する他の例を開示している。
【０１６３】
図２５及び図２６に示すように、貯蔵容器３２０は、上端が開放され、下端には排出口３２２ａが形成された円筒状収容部３２２を持ち、排出口３２２ａの周りには、軸方向に突出する複数の破裂具３２３が形成されている。貯蔵容器３２０の開放断面には環状の固定ラチェット３２２ｃが形成されている。前記蓋部材３３０のスライダー３３６の下部には、前記破裂具によって破れる破裂部３３８が一体的に形成されている。また、蓋部材の端部プレート３３２の内面に、前記固定ラチェット３２２ｃと対応する位置に、固定ラチェット３２２ｃに対して一方向回転のみを許容する可動ラチェット３３２ｂが一体的に形成される。前記貯蔵容器の開放端の内周面には、スライダーの側面にすべり移動可能に接触するシール突条３２２ｄが一体的に形成される。
【０１６４】
このような本発明の第１５実施例の作動を説明する。まず、以下で言及する時計方向とは蓋部材３３０が注入口３１１に締められる方向を意味し、反時計方向とは解放される方向を意味する。図２６に示すような初期状態で、蓋部材３３０を時計方向に回転させれば、メインキャップ３３４の雌ネジ３３４ａが注入口３１１の雄ネジ３１２に沿って回転しながら下部（締められる方向）への移動を開始する。これと同時に、スライダー３３６が下降することになり、スライダーの破裂部３３８が、下端に配置される破裂具３２３によって破れることになり、添加物が排出口３２２ａを通じて容器本体３１０内に投入される。ついで、下降が進むほど破裂の程度が大きくなり、図２７Ａのように、開放動作が完了した状態では添加物の投入が完了する。
【０１６５】
また、蓋部材３３０の回転時には、可動ラチェット３３２ｂがともに回転しながら下降することになる。図２８Ａに示すように、可動ラチェット３３２ｂは所定位置で固定ラチェット３２２ｃと干渉する。この際、可動ラチェット３３２ｂと固定ラチェット３２２ｃの歯が相互に回転を許容する配列を成しているとともに歯が固有弾性によって変形するので、可動ラチェット３３２ｂが固定ラチェット３２２ｃの進行限界点を越えてさらに進行して、図２８Ｂのような状態を維持することになる。
【０１６６】
一方、このような状態で、蓋部材３３０を反時計方向に回転させれば、可動ラチェット３３２ｂが、図２８Ｃに示すように、進入時と同一軌跡に沿って逆方向に移動することになる。しかし、この際、進入時とは異なり、固定ラチェット３２２ｃが可動ラチェット３３２ｂの回転上昇を制限することになる。したがって、貯蔵容器３２０は蓋部材３３０とともに回転し、蓋部材３３０の雌ネジ３３４ａが注入口２１１の雄ネジ３１２に沿って回転移動しながら上昇することになるので、図２７Ｂに示すように、蓋部材３３０と貯蔵容器３２０は同時に注入口３１１から分離される。
【０１６７】
図２９〜図３１Ｂは本発明の第１６実施例の構成を示す。本発明の第１５実施例と同一構成要素は同一符号を付け、その詳細な説明は省略する。ここでは、本発明の分離手段のさらに他の例を開示している。
【０１６８】
貯蔵容器３２０の排出口３２２ａの周りには環状の固定ラチェット３２２ｅが一体的に形成され、蓋部材３３０のスライダー３３６の下端に、前記固定ラチェット３２２ｅと対応する位置に、固定ラチェット３２２ｅに対して一方向回転のみを許容する可動ラチェット３３６ａが一体的に形成されている。
【０１６９】
このような構成を持つ本発明の第１６実施例の作動は本発明の第１５実施例と同一であるが、ただ固定ラチェット３２２ｅと可動ラチェット３３６ａの形成位置での違いのみあるので、その詳細な説明は省略する。
【０１７０】
図３２は本発明による容器蓋の第１７実施例の構成を示す分解斜視図、図３３Ａはその結合状態を示す縦断面図、図３３Ｂは横断面図である。ここでは、添加物撹拌手段を提供して、凝集力がある添加物を一層効果的に放出するようにする構成について開示している。
【０１７１】
この実施例は、大きくは、外周面に雄ネジ４１２が形成された注入口４１１を持つ容器本体４１０と、注入口４１１の内側に分離可能に挿入される貯蔵容器４２０と、貯蔵容器４２０に螺合され、いずれか一方向への回転だけで撹拌手段で添加物をかき混ぜながら放出させるとともに、予定位置で貯蔵容器と干渉して貯蔵容器４２０を注入口４１１から分離させる蓋部材４３０とから構成される。
【０１７２】
前記貯蔵容器４２０は、収容部４１１の開放端に形成される円筒状の端部プレート４２２と、この端部プレート４２２の外周縁から軸方向に伸び、注入口４１１に螺合される雌ネジ４２４ａが形成されたメインキャップ４２４と、端部プレート４２２の内周縁から軸方向に伸び、前記注入口４１１の内側に軸方向移動可能に挿入される収容部４２６とが一体的に構成される。収容部４２６の下端には破裂部４２９が一体的に形成されている。破裂部４２９はホルダー４２９ａによって収容部４２６に部分的に堅く結合された状態を維持することになる。そして、端部プレート４２２から、収容部４２６と反対方向に、外周面に雄ネジ４２８ａが形成された延長部４２８が延設される。
【０１７３】
蓋部材４３０は、円板形の仕上げプレート４３２と、仕上げプレート４３２の外側から軸方向に伸び、前記延長部４２８の雄ネジ４２８ａに螺合される雌ネジ４３４ａが形成された上部キャップ４３４と、この上部キャップ４３４から離隔され、仕上げプレート４３２から軸方向に伸びて延長部４２８及び収容部４２６に挿入されるスライダー４３６とが一体的に構成されている。
【０１７４】
上部キャップ４３４の下端には、上部キャップ４３４の下降を制限する固定バンド４３４ｂが一体的に形成されている。固定バンド４３４ｂは、上部キャップ４３４から、切取線等によって外力で手軽く分離できるように構成される。
【０１７５】
スライダー４３６の下端には、スライダーが下降及び回転する時、前記破裂部４２９を切断する破裂具４３６ｃが下向きに突設されている。図３３Ｂに示すように、スライダー４３６の内側には長手方向全長にわたって半径方向内側に撹拌突条４３６ａ及び撹拌棒４３６ｂが突設されている。これら撹拌突条４３６ａ及び撹拌棒４３６ｂは少なくとも一つ以上形成されることが望ましい。
【０１７６】
本発明によれば、前記上部キャップ４３４と延長部４２８は右回りの螺合を成し、メインキャップ４２４と注入口４１１は左回りの螺合を成している。
【０１７７】
未説明符号４２４ｂは不正開放防止タップである。
【０１７８】
このような本発明の第１７実施例は、図３３Ａに示すような初期状態で、固定バンド４３４ｂを分離した後、蓋部材４２０を通常の方向、すなわち反時計方向に回転させれば、上部キャップ４３４と延長部４２８が右回りに螺合されているので、蓋部材４２０は下降することになる。したがって、破裂具４３６ｃが破裂部４２７を切開することになるので、図３４Ａに示すように、添加物が下部に排出されて容器本体４１０に投入される。前記蓋部材４３０は、図３４Ｂに示すように、まったく下降した状態で、ホルダー４２９ａを除いた領域、すなわち３３０〜３５０度程度の範囲内で回転されるので、破裂部４３７が切開された後にもスライダー４２６に付いている状態を維持することになる。
【０１７９】
一方、前記蓋部材４２０の下降時には、撹拌突条４３６ａ及び撹拌棒４３６ｂが一緒に回転して添加物をかき混ぜることになるので、排出作用が円滑になる。
【０１８０】
このような状態で、続いて蓋部材４２０を反時計方向に回転させれば、蓋部材４２０の回転力は貯蔵容器４３０に伝達される。よって、貯蔵容器４３０内でメインキャップ４１２の雌ネジ４１２ａと注入口４１１の雄ネジ４１２がともに回転することになる。この際、前記螺合は左回りになっているので、図３４Ｃに示すように、不正開放防止タップ４２４ｂが破損して貯蔵容器４２０が注入口４１１から分離される。
【０１８１】
図３５は本発明の第１８実施例の構成を示す分解斜視図、図３６はその結合状態を示す縦断面図である。ここでは、添加物収容空間に栓を提供した構成について開示している。
【０１８２】
この実施例は、大きくは、容器の注入口の外周面に雄ネジ５１２が形成された注入口５１１を持つ容器本体５１０と、注入口５１１の内側に分離可能に挿入される貯蔵容器５２０と、貯蔵容器５２０に螺合され、回転時に栓を分離して添加物を放出するとともに予定位置で貯蔵容器と干渉して貯蔵容器５２０を注入口５１１から分離させる蓋部材５３０とから構成される。
【０１８３】
前記貯蔵容器５２０は、収容部５１１の開放端に形成される円筒状の端部プレート５２２と、この端部プレート３３２の外周縁から軸方向に伸び、注入口５１１に螺合される雌ネジ５２４ａが形成されたメインキャップ５２４と、端部プレート５２２の内周縁から軸方向に伸び、前記注入口５１１の内側に軸方向移動可能に挿入される内部キャップ５２６とが一体的に構成される。内部キャップ５２６の下端には半径方向内側に係合突条５２６ｂが突設され、係合突条５２６ｂの内側に排出口５４０が形成されている。メインキャップ５２４の外周には雄ネジ５２４ｂが形成され、端部プレート５２２の周縁部には半径方向に拡張されて、後述する蓋部材の離脱を制限するストッパー５２２ａが一体的に形成されている。
【０１８４】
蓋部材５３０は、円板形の仕上げプレート５３２と、仕上げプレート５３２の外側から軸方向に伸び、前記メインキャップ５２４の雄ネジ５２４ｂに螺合される雌ネジ５３４ａが形成された上部キャップ５３４と、この上部キャップ５３４から離隔され、仕上げプレート５３２から軸方向に伸びて内部キャップ５２６に挿入されるスライダー５３６とが一体的に構成されている。
【０１８５】
スライダー５３６の下端には、スライダーの内部を密閉させる栓５４０が分離可能に結合されている。栓５４０の下端には、前記係合突条５２６ｂにかかる係合部５４２をなすフック５４４が一体的に形成される。また、栓５４０の上部には、スライダー５３６の下端に形成されるシール溝５３６ｂと嵌め合わせられるシール突条５４６が形成されている。
【０１８６】
このような本発明の第１８実施例は、図３６に示すような初期状態で、蓋部材５３０を時計方向に回転させれば、雄ネジ５２４ｂと雌ネジ５３４ａの相互作用によって蓋部材５３０が下降して図３７Ａのような状態になる。この際、栓５４０はフック５４４の先端がテーパー状に形成されているので、係合突条５２６ｂを順調に通過し、この係合突条５２６ｂが係合突条５４２に係止されて堅く結合される。このような状態で、蓋部材５３０を前記と反対に、すなわち反時計方向に回転させれば、雄ネジ５１２と雌ネジ５２４ａの相互作用によって蓋部材５３０が上昇することになる。この際、栓５４０は係合突条５２６ｂによって移動が制限されるので、図３７Ｂに示すように、スライダー５３６が栓５４０から分離され、添加物が排出口５２６ａを通じて容器本体５１０の内部に投入される。
【０１８７】
そして、続いて蓋部材５３０を反時計方向に回転させれば、雌ネジ５３４ａがストッパー５２２ａにかかることになるので、蓋部材５３０の回転力は貯蔵容器５３０に伝達される。よって、貯蔵容器５３０は、メインキャップ５１２の雌ネジ５１２ａと注入口５１１の雄ネジ５１２が互いに結合して回転することになる。この際、前記螺合は左回りになっているので、図３７Ｃに示すように、貯蔵容器５２０が注入口５１１から分離される。
【０１８８】
図３８は本発明の１９実施例の構成を示す。この実施例は、本発明の第１８実施例の変形例であって、スライダー５３６の下部に栓５４０が一体的に形成されるが、栓５４０とスライダー５３６は切取部５３６ｄで連結されて、外力によって手軽く破裂可能な構造を持っている。また、スライダー５３６の下部に栓５４０が一体的に形成されるので、添加物の充填のために、仕上げプレート５３２上に、スライダー５３６の上部を開放する開放口を形成し、この開放口は、添加物の充填後、別途の密封手段５３２ａで密封される。密封手段５３２ａとしては、アルミニウム板又は薄い合成樹脂膜が望ましい。
【０１８９】
この実施例は、本発明の第１８実施例と作動が同一であるが、ただ図３８のような初期状態から、図３９Ａのような下降状態を経った後、蓋部材５３０の上昇動作時、図３９Ｂに示すように、切取部５３６ｄが破れて添加物が容器本体５１０の内部に投入される。そして、蓋部材５３０を続いて回転させれば、第１８実施例と同様に、図３９Ｃのように、貯蔵容器５２０が注入口５１１から分離される。
【０１９０】
図４０〜図４２Ｂは本発明の第２０実施例を示す。ここでは、栓とスライダーのシール構造をより効果的に成すための構造を開示している。第１８実施例と同一の構成及び作動の説明は省略する。
【０１９１】
これによれば、スライダー５３６と内部キャップ５２２の対向面には、相互に軸方向に移動する時に干渉する干渉突条５３６ａ、５２２ｂが形成されている。また、栓５４０の上部には、スライダー５３６の下部内周面から突出する固定突条５３６ｆに係合される固定溝５４９が形成される。また、栓５４０とスライダー５３６の下端部間にはシールリング５５０が介在されている。シールリング５５０は、栓５４０に形成される下部シール固定溝５４８及びスライダー５３６の下端に形成される上部シール固定溝５３６gによって
相互に密着して固定される。上部シール固定溝５３６gと下部シール固定溝５４８が形成する領域はシールリング５５０の断面より小さく形成されて、組立の時、シールリング５５０が弾性変形して隙間を塞いでシール効果を高めるように構成される。
【０１９２】
また、前記干渉突条５３６ａ、５２２ｂは相互に干渉し、相手を越える時に作動音が発生するように構成される。仕上げプレート５３２には、干渉突条の作動音が外部に伝播されるようにする音発生部５３２ｂが形成されている。
【０１９３】
この実施例によれば、シールリング５５０及び固定突条５３６ｆと固定溝５４９によって栓５４０とスライダー５３６の効果的な気密維持が可能になるので、流通中に添加物流出のおそれを減らすことができ、干渉突条の音発生時点で蓋部材の開放動作を停止させた状態で容器を振ることで、投入された添加物と容器内の内容物の混合を能率的になすことができることになる。
【０１９４】
図４３及び図４４は本発明の第２１実施例の構成を示す。
【０１９５】
この実施例は、大きくは、容器の注入口の外周面に雄ネジ６１２が形成された注入口６１１を持つ容器本体６１０と、注入口６１１の内側に分離可能に挿入される貯蔵容器６２０と、注入口６１１及び貯蔵容器６２０に螺合され、回転初期に下降して添加物を放出し、上昇時に貯蔵容器と干渉して貯蔵容器６２０を注入口６１１から分離させる蓋部材６３０とから構成される。
【０１９６】
前記貯蔵容器６２０は、収容部６１１の開放端に形成される円筒状の端部プレート６２２と、この端部プレート６２２の内周縁から軸方向に伸び、前記注入口６１１の内側に軸方向移動可能に挿入される内部キャップ６２４とが一体的に構成される。
【０１９７】
端部プレート６２２の外周には、前記注入口６１１の雄ネジ６１２と同一の雄ネジ６２２ｂが形成されている。
【０１９８】
注入口６１１の上端には下部ラチェット６１３が形成され、これと対応する端部プレート６２２の底面には上部ラチェット６２２ｃが形成されることにより、貯蔵容器６２０は注入口６１１に対していずれか一方向にだけ回転が許容されるように構成される。
【０１９９】
蓋部材６３０は、端部プレートの上部に配置される円板形の仕上げプレート６３２と、仕上げプレート６３２の外側から軸方向に伸び、前記注入口６１１の雄ネジ６１２及び貯蔵容器６２０の雄ネジ６２２ｂに同時に螺合される雌ネジ６３４ａが形成された上部キャップ６３４と、この上部キャップ６３４から離隔され、仕上げプレート６３２から軸方向に伸びて内部キャップ６２６に挿入されるスライダー６３６とが一体的に構成されている。
【０２００】
スライダー６３６の下部には円周方向に少なくとも二つ以上の排出口６３６ａが形成される。
【０２０１】
スライダー６３６の排出口６３６ａの上端及び下端には、内部キャップ６２４の内面に密着して、排出口６３６ａを通じる添加物の流出を防止するシール突条６３６ｂ、６３６ｃがそれぞれ環状に突設されている。
【０２０２】
前記スライダー６３６の下端には楔部６３６ｄが提供されることにより、スライダー６３６が内部キャップ６２４に対して予定位置以上に上昇することを制限する。内部キャップ６２４の下端とスライダー６３６の下端をともに取り囲む破裂膜６４０が提供される。破裂膜はアルミニウム膜で形成されることが望ましい。
【０２０３】
一方、前記端部プレート６２２の内側には下部ラチェット片６２２ａが形成され、これに対応する仕上げプレート６３２の底面には、下部ラチェット片６２２ａと干渉して、蓋部材６３０が貯蔵容器６２０に対していずれか一方向への回転のみ可能にする上部ラチェット片６３２ｂが形成されている。
【０２０４】
仕上げプレート６３２には、添加物の充填のために、スライダー６３６の上部を開放する開放口６３２ａが形成され、この開放口６３２ａは、添加物充填後、別途の密封手段（図示せず）で密封される。密封手段としては、アルミニウム板又は薄い合成樹脂膜が望ましい。
【０２０５】
この実施例は、図４４のような初期状態で、蓋部材６３０を時計方向に回転させれば、雌ネジ６３４ａと雄ネジ６１２ｂの相互作用によって蓋部材５３０が下降することになり、図４５Ａのような状態になる。この際、スライダー６３６の下端は破裂膜６４０を切開して下部に移動することになるので、添加物が排出口６３６ａを通じて容器の内部に投入される。この際、貯蔵容器６２０は、下部ラチェット６１３と上部ラチェット６２２によって時計方向への回転が制限されるので、遊動しなくなる。また、上部ラチェット片６３２ｂは下部ラチェット片６２２ａ内に進入することになる。
【０２０６】
このような状態で、蓋部材６３０を、前記と反対方向に、すなわち反時計方向に回転させれば、貯蔵容器６２０の上部ラチェット片６３２ｂが下部ラチェット片６２２ａと相互に干渉することにより、蓋部材６３の回転力が貯蔵容器６２０に伝達される。また、下部ラチェット６１３と上部ラチェット６２２は反時計方向への回転を許容することになるので、貯蔵容器６２０と蓋部材６３０の螺合部はそのままである状態で、蓋部材６３０の雌ネジ６３４ａと注入口６１１の雄ネジ６１２の相互作用によって蓋部材５３０が上昇することになる。したがって、図４５Ｂに示すように、貯蔵容器６２０は回転と同時に上昇して容器本体から分離される。
【０２０７】
図４６Ａ及び４６Ｂは本発明の第２２実施例の構成を示す。本発明の第２１実施例と同一の構成及び作動は詳細な説明を省略する。ここでは、第２１実施例の構成の変形例として、添加物収容空間を二分に構成して２種の添加物を投入可能にする構成を開示している。
【０２０８】
図４６Ａに示すように、スライダー６３６の内部を軸方向に二分する分離壁６３５によって添加物収容空間２、３が形成されている。仕上げプレート６３２には、それぞれの添加物収容空間２３への添加物の充填を可能にする開放部６３２ａがそれぞれ形成され、収容空間２３の下端には添加物を排出する排出口６３６ａがそれぞれ形成されている。このような本発明の第２２実施例は第２１実施例と作動が同一である。
【０２０９】
図４７Ａ及び図４７Ｂは本発明の第２３実施例の構成を示す。これは、第２１実施例の変形例を開示している。これによれば、内部キャップ６２４の下端に破裂膜６３６ｅを提供することにより添加物収容空間２が形成され、仕上げプレート６３２から内部キャップ６２４に移動可能に挿入される円筒状のスライダー６３７が突設され、スライダー６３７の下端に前記破裂膜６３６ｅを裂く破裂具６３７ａが一体的に形成されている。前記破裂具６３７ａは支持軸を含み、前記破裂具６３７ａの支持軸を補強するために、前記支持軸の周囲には少なくとも一つの補強リブが設けられることができる。前記破裂膜６３６ｅはアルミニウム簿膜から形成されることが望ましい。また、前記破裂膜は、成形工程によって、前記貯蔵容器の内部キャップ６２４と同一材料で製造された簿膜から形成されることもでき、前記簿膜には破断線が設けられる。このような本発明の第２３実施例は本発明の第２１実施例の動作がほとんど同一であるが、図４７Ｂに示すように、ただ蓋部材６２０の下降時、破裂具６３７ａによって破裂膜６３６ｅが破れて添加物が容器本体内に投入される。
【０２１０】
図４８及び図４９は本発明による容器蓋の第２４実施例の構成を示している。ここでは、いずれか一方向の回転時に添加物が放出され、反対方向への回転時に貯蔵容器が分離される構造を開示している。
【０２１１】
この実施例は、大きくは、容器の注入口の外周面に雄ネジ７１２が形成された注入口７１１を持つ容器本体７１０と、注入口７１１の内側に分離可能に挿入される貯蔵容器７２０と、貯蔵容器７２０に螺合され、一方向への回転時、添加物を放出し、反対方向への回転時、予定位置で貯蔵容器と干渉して貯蔵容器７２０を注入口７１１から分離させる蓋部材７３０とから構成される。
【０２１２】
前記貯蔵容器７２０は、収容部７１１の開放端に形成される円板形の端部プレート７３２と、この端部プレート７３２の外周縁から軸方向に伸び、注入口７１１に螺合される雌ネジ７２４ａが形成されたメインキャップ７２４と、端部プレート７２２の内周縁から軸方向に伸びて前記注入口７１１の内側に軸方向移動可能に挿入される内部キャップ７２６とが一体的に構成される。内部キャップ７２６は、注入口７１１の内壁から離隔するように傾いた段差部７２６ｃを持つ。また、内部キャップ７２６の下部には複数の排出口７２６ａが形成されている。そして、端部プレート７２２から、内部キャップ７２６と反対方向に、外周面に雄ネジ７２８ａが形成された延長部７２８が延設される。延長部７２８の外周面には、半径方向外側に拡張されて、後述する雌ネジ７３４ａの上昇を制限するストッパー７２８ｂが形成されている。
【０２１３】
メインキャップ７２４の下端には、メインキャップ７２４の不正開放を制限するスカート７２４ｂが一体的に形成されている。スカート７２４ｂは、上部キャップ７２４に対して切取線を置くことで、外力によって手軽く分離できるように構成される。
【０２１４】
蓋部材７３０は、円板形の仕上げプレート７３２と、仕上げプレート７３２の外側から軸方向に伸び、前記延長部７２８の雄ネジ７２８ａに螺合される雌ネジ７３４ａが形成された上部キャップ７３４と、この上部キャップ４３４から隔離され、仕上げプレート７３２から軸方向に伸びて内部キャップ７２６に緊密に挿入されるスライダー７３６とが一体的に構成されている。
【０２１５】
上部キャップ７３４の下端には、上部キャップ７３４の不正開放を制限するスカート７３４ｂが一体的に形成されている。スカート７３４ｂは、上部キャップ７３４に対して置くことで、外力によって手軽く分離できるように構成される。
【０２１６】
スライダー７３６の下端には、スライダーの内部を密閉させる栓７４０が分離可能に結合されている。栓７４０は、その下端に、前記スライダーの下部内側に形成された係合突条７２６ｂにかかる係合突条７４２が形成されて、スライダーに対する軸方向移動を制限するように構成される。
【０２１７】
栓７４０とスライダー７３６の下端との間にはシールリング７５０が介在されることで、添加物収容空間２のシールを成すことになる。
【０２１８】
このような本発明の第２４実施例は、図４８に示すような初期状態で、蓋部材７２０を時計方向に回転させれば、延長部７２８に右回りに螺合されている上部キャップ７３４がスカート７３４ｂから分離されながら上昇することになる。よって、図５０Ａに示すように、添加物が排出口７２６ｂを通じて下部に排出されて容器本体７１０に投入される。蓋部材７２０が所定距離だけ上昇すると、上部キャップ７３４の雌ネジ７３４ａが延長部７２８の雄ネジ７２８ａから離脱することになる。この際、蓋部材７２０はストッパー７２８ｂによってそれ以上上向きに移動することができなく、延長部７２８の周囲で空回転することになる。
【０２１９】
したがって、使用者は手感覚で蓋部材７３０の空回転状態を認知して、添加物が内容物と混合したことを認知することができることになる。
【０２２０】
ついで、蓋部材７３０を通常の蓋部材の開放方向、すなわち反時計方向に回転させれば、蓋部材７３０は再び延長部に螺合され、図４８の初期状態に下降し、このような状態で続いて蓋部材７３０を反時計方向に回転させれば、蓋部材７３０の回転は貯蔵容器７２０に伝達される。したがって、貯蔵容器７２０は、メインキャップ７２４の雌ネジ７２４ａと注入口７１１の雄ネジ４１２結合部が互いに対して回転することになる。この際、前記螺合は左回りになっているので、図５０Ｂに示すように、不正開放防止タップ７２４ｂが破損して貯蔵容器７２０が注入口７１１から分離される。
【０２２１】
図５１及び図５２は本発明の第２５実施例を示す。第２４実施例と同一構成は同一符号を付け、その詳細な説明は省略する。ここでは、本発明の第２４実施例の変形に関するもので、栓７４０のシール構造をより効果的に成すことができる構造を開示する。これによれば、スライダー７２６の下端内側には円筒状シールリング７５２が介在されている。このシールリング７５２は、スライダー７２６の射出時、その内側に挿入されて一体的に射出される、いわゆる二重射出によって形成されて、スライダーと一体的に作用することになる。
【０２２２】
また、延長部７２８には第２４実施例のようなストッパーは含まれていなく、上部キャップ７２４には音発生部７３４ｂが形成されている。
【０２２３】
図５３Ａ及び図５３Ｂは第２５実施例の作動を示す。ここでは、蓋部材７３０が延長部７２８の雌ネジ７２８ａから離脱する時、雌ネジ７３４ａが干渉音発生突起７２８ｃと干渉しながら発生する音が音発生部７３４ｂを通じて外部に伝播されることで、蓋部材７３０が充分に開放されて添加物が投入されたことを使用者に知らせることになるので、使用者はこれを認知し、使用方法によって蓋部材を閉めることになる。以後の作動は、第２４実施例で説明した作動と同様である。
【０２２４】
このような第２５実施例によれば、スライダー７２６と栓７４０間の気密を効果的に維持して添加物の変質を防止することができることになる。
【産業上の利用可能性】
【０２２５】
以上説明したように、本発明は、一つの容器の内部に２種の物質を収容して保管及び流通さることができ、使用時、予定された作動によって、隔離された空間を連通させることで、２種の物質を手軽に混合して使用することができる。したがって、混合の必要がある２種の物質がそれぞれ独立された貯蔵容器に保管されなければならないことによる面倒さ及び資源の無駄使いを減らすことができ、実際使用の時（飲料の場合には、試飲時）新鮮度を高めることになるので、製品の信頼性を高めることができるという利点も提供する。すなわち、予め混合した状態で長期間経過することによる物性変化を防止することになる。
【０２２６】
また、常に一定量を正確に計量して混合することが可能であるので、混合比の不良による従来の化学的、物理的特性を安定に提供することができ、製品の特性を良好に維持することができる。
【０２２７】
また、蓋部材の回転動作によって添加物が放出されるとともに貯蔵容器がともに分離されるので、使用の便利性を提供することができる。
【図面の簡単な説明】
【０２２８】
【図１】図１は本発明の第１実施例の構成を示す分解斜視図である。
【図２】図２Ａ〜図２Ｄは本発明の第１実施例の作動状態を示す断面図である。
【図３】図３は容器本体の注入口を成形する例を示す部分拡大断面図である。
【図４】図４は本発明の第２実施例の構成を示す断面図である。
【図５】図５は本発明の第３実施例の構成を示す断面図である。
【図６】図６Ａ及び図６Ｂは本発明の第４実施例の構成及び作動を示す断面図である。
【図７】図７Ａ及び図７Ｂ本発明の第５実施例の構成及び作動を示す断面図である。
【図８】図８は本発明の第６実施例の構成を示す断面図である。
【図９】図９は本発明の第６実施例の蓋部材と貯蔵容器の回転制限のためのラチェットの構造を示す平面図である。
【図１０】図１０Ａ及び図１０Ｂは第６実施例の収容部材と注入口のシール構造を示す部分拡大断面図である。
【図１１】図１１Ａ及び図１１Ｂは本発明の第６実施例の作動状態を示す断面図である。
【図１２】図１２は本発明の第７実施例の構成を示す断面図である。
【図１３】図１３は本発明の第８実施例の構成を示す断面図である。
【図１４】図１４は本発明の第９実施例の構成を示す断面図である。
【図１５】図１５は本発明の第９実施例の上部キャップの開放状態を示す斜視図である。
【図１６】図１６は本発明の第１０実施例の構成を示す断面図である。
【図１７】図１７は本発明の第１１実施例の構成を示す断面図である。
【図１８】図１８は本発明の第１１実施例の蓋部材と貯蔵容器の回転制限のためのラチェットの構造の要部示す平面図である。
【図１９】図１９Ａ〜図１９Ｃは本発明の第１１実施例の作動状態を示す断面図である。
【図２０】図２０Ａ及び図２０Ｂは本発明の第１２実施例の結合状態を示す断面図である。
【図２１】図２１は本発明の第１３実施例の構成を示す断面図である。
【図２２】図２２は本発明の第１４実施例の構成を示す分解斜視図である。
【図２３】図２３は本発明の第１４実施例の結合状態を示す断面図である。
【図２４】図２４Ａ及び図２４Ｂは本発明の第１４実施例の作動状態を示す断面図である。
【図２５】図２５は本発明の第１５実施例の構成を示す分解斜視図である。
【図２６】図２６は本発明の第１５実施例の結合状態を示す断面図である。
【図２７】図２７Ａ及び図２７Ｂは本発明の第１５実施例の作動状態を示す断面図である。
【図２８】図２８Ａ〜図２８Ｃは第１５実施例の可動及び固定ラチェットの作動状態を示す拡大断面図である。
【図２９】図２９は本発明の第１６実施例の構成を示す分解斜視図である。
【図３０】図３０は本発明の第１６実施例の結合状態を示す断面図である。
【図３１】図３１Ａ及び図３２Ｂは本発明の第１６実施例の作動状態を示す断面図である。
【図３２】図３２は本発明の第１７実施例の構成を示す分解斜視図である。
【図３３】図３３Ａは本発明の第１７実施例の構成を示す縦断面図であり、図３３Ｂは本発明の第１７実施例の構成を示す横断面図である。
【図３４】図３４Ａ〜図３４Ｃは本発明の第１７実施例の作動状態を示す断面図である。
【図３５】図３５は本発明の第１８実施例の構成を示す分解斜視図である。
【図３６】図３６は本発明の第１８実施例の構成を示す断面図である。
【図３７】図３７Ａ〜図３７Ｃは本発明の第１８実施例の作動状態図である。
【図３８】図３８は本発明の第１９実施例の構成を示す断面図である。
【図３９】図３９Ａ及び図３９Ｂは本発明の第１９実施例の作動状態を示す断面図である。
【図４０】図４０は本発明の第２０実施例の構成を示す断面図である。
【図４１】図４１は本発明の第２０実施例結合状態を示す斜視図である。
【図４２】図４２Ａ及び図４２Ｂは第２０実施例作の動状態を示す断面図である。
【図４３】図４３は本発明の第２１実施例の構成を示す分解斜視図である。
【図４４】図４４は本発明の第２１実施例の構成を示す断面図である。
【図４５】図４５Ａ及び図４５Ｂは本発明の第２１実施例の作動状態を示す断面図である。
【図４６】図４６Ａ及び図４６Ｂは本発明の第２２実施例の構成及び作動状態を示す断面図である。
【図４７】図４７Ａ及び図４７Ｂは本発明の第２３実施例の構成及び作動状態を示す断面図である。
【図４８】図４８は本発明の第２４実施例の構成を示す断面図である。
【図４９】図４９は本発明の第２４実施例の貯蔵容器の構成を示す側面図である。
【図５０】図５０Ａ及び図５０Ｂは本発明の第２４実施例の作動状態を示す断面図である。
【図５１】図５１は本発明の第２５実施例の構成を示す断面図である。
【図５２】図５２は本発明の第２５実施例の貯蔵容器の構成を示す側面図である。
【図５３】図５３Ａ及び図５３Ｂは本発明の第２５実施例の作動状態を示す図である。
【図１】
2007512194.tif 000003
【図２Ａ】
2007512194.tif 000004
【図２Ｂ】
2007512194.tif 000005
【図２Ｃ】
2007512194.tif 000006
【図２Ｄ】
2007512194.tif 000007
【図３】
2007512194.tif 000008
【図４】
2007512194.tif 000009
【図５】
2007512194.tif 000010
【図６Ａ】
2007512194.tif 000011
【図６Ｂ】
2007512194.tif 000012
【図７Ａ】
2007512194.tif 000013
【図７Ｂ】
2007512194.tif 000014
【図８】
2007512194.tif 000015
【図９】
2007512194.tif 000016
【図１０Ａ】
2007512194.tif 000017
【図１０Ｂ】
2007512194.tif 000018
【図１１Ａ】
2007512194.tif 000019
【図１１Ｂ】
2007512194.tif 000020
【図１２】
2007512194.tif 000021
【図１３】
2007512194.tif 000022
【図１４】
2007512194.tif 000023
【図１５】
2007512194.tif 000024
【図１６】
2007512194.tif 000025
【図１７】
2007512194.tif 000026
【図１８Ａ】
2007512194.tif 000027
【図１８Ｂ】
2007512194.tif 000028
【図１８Ｃ】
2007512194.tif 000029
【図１９】
2007512194.tif 000030
【図２０】
2007512194.tif 000031
【図２１】
2007512194.tif 000032
【図２２】
2007512194.tif 000033
【図２３】
2007512194.tif 000034
【図２４Ａ】
2007512194.tif 000035
【図２４Ｂ】
2007512194.tif 000036
【図２５】
2007512194.tif 000037
【図２６】
2007512194.tif 000038
【図２７Ａ】
2007512194.tif 000039
【図２７Ｂ】
2007512194.tif 000040
【図２８Ａ】
2007512194.tif 000041
【図２８Ｂ】
2007512194.tif 000042
【図２８Ｃ】
2007512194.tif 000043
【図２９】
2007512194.tif 000044
【図３０】
2007512194.tif 000045
【図３１Ａ】
2007512194.tif 000046
【図３１Ｂ】
2007512194.tif 000047
【図３２】
2007512194.tif 000048
【図３３Ａ】
2007512194.tif 000049
【図３３Ｂ】
2007512194.tif 000050
【図３４Ａ】
2007512194.tif 000051
【図３４Ｂ】
2007512194.tif 000052
【図３４Ｃ】
2007512194.tif 000053
【図３５】
2007512194.tif 000054
【図３６】
2007512194.tif 000055
【図３７Ａ】
2007512194.tif 000056
【図３７Ｂ】
2007512194.tif 000057
【図３７Ｃ】
2007512194.tif 000058
【図３８】
2007512194.tif 000059
【図３９Ａ】
2007512194.tif 000060
【図３９Ｂ】
2007512194.tif 000061
【図３９ｃ】
2007512194.tif 000062
【図４０】
2007512194.tif 000063
【図４１】
2007512194.tif 000064
【図４２Ａ】
2007512194.tif 000065
【図４２Ｂ】
2007512194.tif 000066
【図４３】
2007512194.tif 000067
【図４４】
2007512194.tif 000068
【図４５Ａ】
2007512194.tif 000069
【図４５Ｂ】
2007512194.tif 000070
【図４６Ａ】
2007512194.tif 000071
【図４６Ｂ】
2007512194.tif 000072
【図４７Ａ】
2007512194.tif 000073
【図４７Ｂ】
2007512194.tif 000074
【図４８】
2007512194.tif 000075
【図４９】
2007512194.tif 000076
【図５０Ａ】
2007512194.tif 000077
【図５０Ｂ】
2007512194.tif 000078
【図５１】
2007512194.tif 000079
【図５２】
2007512194.tif 000080
【図５３Ａ】
2007512194.tif 000081
【図５３Ｂ】
2007512194.tif 000082
【手続補正書】
【提出日】平成17年8月12日(2005.8.12)
【手続補正１】
【補正対象書類名】特許請求の範囲
【補正対象項目名】全文
【補正方法】変更
【補正の内容】
【特許請求の範囲】
【請求項１】
外周面に雄ネジが形成された注入口が設けられた容器本体と；
注入口の内側に結合される挿入部と、外部に露出する露出部とを備え、両側が開放され、内側に添加物収容空間を形成する添加物貯蔵容器と；
注入口の雄ネジに螺合され、前記添加物収容空間を容器本体の内容物収容空間に対して選択的に隔離又は連通させる蓋部材と；
前記添加物貯蔵容器を注入口から分離させる添加物貯蔵容器分離手段と；
を含んでなる容器。
【請求項２】
前記添加物貯蔵容器分離手段は、添加物貯蔵容器の外周面中央部に半径方向外側に突出する上昇突条が形成され、この上昇突条が蓋部材の内周面に形成された雌ネジと軸方向に干渉するように構成されることを特徴とする、請求項１に記載の容器。
【請求項３】
前記添加物貯蔵容器の挿入部の端部には、半径方向内側に突出し、中央部に排出口が形成されたバルブシートが設けられ、蓋部材の中央に支持軸が軸方向に突出し、この支持軸の端部には、前記排出口を閉鎖して、添加物収容空間を容器本体の内容物収容空間から隔離するバルブ部材が固定されることを特徴とする、請求項１又は２に記載の容器。
【請求項４】
前記蓋部材の内側には、外壁から内側に所定距離だけ離隔されて軸方向に突出する円筒状の内壁が形成され、内壁の外周面と露出部の内周面が摺動可能に面接触するように構成されることを特徴とする、請求項３に記載の容器。
【請求項５】
前記蓋部材の外壁と内壁にはそれぞれ同軸上に外部注入孔及び内部注入孔が形成され、添加物貯蔵容器の露出部には、蓋部材が回転する時、予定位置で前記外部注入孔及び内部注入孔を連通させる連通孔が形成されることを特徴とする、請求項４に記載の容器。
【請求項６】
前記連通孔は、蓋部材の回転時、一定角度以上外部注入孔及び内部注入孔の連通状態を維持するように長孔状に形成されることを特徴をする、請求項５に記載の容器。
【請求項７】
前記添加物貯蔵容器の露出部の内周面には段差部が形成され、段差部には、蓋部材の内壁末端が軸方向に一定深さだけ挿入されるように第１シール溝が形成されることを特徴とする、請求項６に記載の容器。
【請求項８】
前記内壁の外側には、露出部の端部が軸方向に一定深さだけ挿入されるように第２シール溝がさらに形成されることを特徴とする、請求項７に記載の容器。
【請求項９】
前記注入口は、注入口部材を別に成形し、これを容器本体の入口に一体的に成形する二重射出によって形成されることを特徴とする、請求項１に記載の容器。
【請求項１０】
外周面に環状のストッパーが突設された注入口を持つ容器本体と；
注入口の内側に結合される挿入部と、注入口の外部に露出する露出部とを備え、上側は開放され、下側には排出口が形成され、内部に添加物収容空間を形成する添加物貯蔵容器と；
露出部の上部を開閉する密閉部を持ち、密閉部の外周面から延長され、先端には注入口のストッパーに結合されるフックが形成され、密閉部の内部で突出するバルブ手段によって前記添加物収容空間を容器本体の内容物収容空間に対して選択的に隔離又は連通させる蓋部材と；
を含んでなる容器。
【請求項１１】
前記蓋部材の密閉部には、半径方向外側に拡張される把持部が形成されることを特徴とする、請求項１０に記載の容器。
【請求項１２】
上部に注入口が設けられ、密閉された下部壁に供給孔が形成され、下部壁から下部に伸び、外周面に係合溝が形成された延長壁が一体的に形成される容器本体と；
一側が開放された円筒状のものであって、外周面に雄ネジが形成され、前記延長壁内にスライド可能に挿入され、前記供給孔を開閉するバルブ部材を含む添加物貯蔵容器と；
前記添加物貯蔵容器の外側を取り囲み、容器本体に回転可能に結合され、回転時、添加物貯蔵容器を軸方向に移動させる蓋部材と；
を含んでなる容器。
【請求項１３】
前記蓋部材は、開放端に、前記延長壁の係合溝に回転可能に結合する係合突条が形成され、内側面に、前記添加物貯蔵容器の雄ネジと螺合して添加物貯蔵容器を軸方向に移動させる雌ネジが形成されることを特徴とする、請求項１２に記載の容器。
【請求項１４】
外周面に雄ネジが形成された注入口が設けられ、内部に内容物収容空間を持つ容器本体と；
前記注入口に挿入され、外周面に上昇突条が形成され、内部に前記内容物収容空間と選択的に連通する複数の添加物収容空間を持つ添加物貯蔵容器と；
前記注入口の雌ネジに螺合される外壁と、前記添加物貯蔵容器に挿入される内壁と、添加物収容空間を二つの隔離した空間に区画する分離壁とが一体的に形成された蓋部材と；
を含んでなる容器。
【請求項１５】
前記添加物貯蔵容器の下端部周囲には複数の排出口が形成され、添加物貯蔵容器の底面は中央に行くほど徐々に上方に膨らむように構成されることを特徴とする、請求項１４に記載の容器。
【請求項１６】
前記底面には、それぞれ内壁と分離壁の下端が接する部分にシール部材が設けられることを特徴とする、請求項１５に記載の容器。
【請求項１７】
前記密閉部には、添加物貯蔵容器の上端が挿入されるシール溝が形成されることを特徴とする、請求項１６に記載の容器。
【請求項１８】
前記外壁及び内壁には、それぞれの添加物収容空間に対応するように外部注入孔及び内部注入孔がそれぞれ形成され、添加物貯蔵容器には、前記それぞれの外部注入孔及び内部注入孔と予定位置で相互に同軸上に連通して、添加物収容空間を外気と連通させる連通孔が形成されることを特徴とする、請求項１７に記載の容器。
【請求項１９】
外周面に雄ネジが形成された注入口を持つ容器本体と；
注入口の内側に挿入され、上端は開放され、下端には排出口が形成された円筒状収容部を持つ貯蔵容器と；
前記収容部の開放端に面接触する端部プレートと、端部プレートの外周縁から軸方向に伸び、注入口に螺合される雌ネジが形成されたメインキャップと、端部プレートの内周縁から軸方向に伸び、前記貯蔵部の内側に軸方向移動可能に挿入され、排出口を選択的に開閉するスライダーが一体的に形成された蓋部材と；
を含んでなる容器。
【請求項２０】
前記収容部の開放端には、収容部から半径方向外側に拡張される外側突条を持つフランジが一体的に形成され、収容部の外周面には、フランジから所定距離に前記注入口の雄ネジと同一ピッチの雄ネジが形成され、メインキャップの雌ネジ形成区間の内側には、収容部の雄ネジに螺合され、外側突条にかかる外側係合突条が半径方向内側に突設され、蓋部材の回転時、外側係合突条が外側突条にかかって貯蔵容器を注入口から分離させることを特徴とする、請求項１９に記載の容器。
【請求項２１】
前記収容部の雄ネジのフランジに隣接した谷部には、円周上に内部ラチェットが形成され、外側係合突条の端部には、内部ラチェットに対していずれか一方向への回転のみを許容する外側ラチェットが形成されることを特徴とする、請求項２０に記載の容器。
【請求項２２】
前記フランジは、半径方向内側に拡張される内側突条を持つフランジをさらに含み、スライダーの外周面のうち、外側係合突条と対応する位置には、内側突条にかかる内側係合突条が半径方向外側に突設され、蓋部材の回転時、内側係合突条が内側突条にかかって、貯蔵容器を注入口から分離させることを特徴とする、請求項２１に記載の容器。
【請求項２３】
前記端部プレートの外側には、スライダーの上部を閉鎖する上部キャップが一体的に形成されることを特徴とする、請求項２２に記載の容器。
【請求項２４】
前記端部プレートには、フランジによって開閉される少なくとも一つの連通孔が形成されることを特徴とする、請求項２３に記載の容器。
【請求項２５】
前記収容部の外周面には、注入口の内側面に接して気密を維持する複数のシール突条が一体的に形成されることを特徴とする、請求項１９〜２４のいずれか一項に記載の容器。
【請求項２６】
貯蔵容器の底面は、中央に行くほど徐々に上方に膨らむように構成されることを特徴とする、請求項２５に記載の容器。
【請求項２７】
貯蔵容器の底面のうち、スライダーの端部と接する部分にはシール部材が挿入されることを特徴とする、請求項２６に記載の容器。
【請求項２８】
前記端部プレートの外周縁には軸方向に延長部が形成され、この延長部に選択的に結合される上部キャップが備えられることを特徴とする、請求項２２に記載の容器。
【請求項２９】
前記貯蔵容器の底面から上向きに突出して収容部を二分する隔壁が一体的に形成され、上部キャップには、前記隔壁の上端が挿入される挿入溝が形成されることを特徴とする、請求項２８に記載の容器。
【請求項３０】
前記上部キャップは連結帯によってメインキャップに一体的に固定されることを特徴とする、請求項２８又は２９に記載の容器。
【請求項３１】
前記延長部には、注入口の雄ネジと同一の雄ネジが形成され、雄ネジに螺合する雌ネジを持つスポーツキャップが延長部に螺合されることを特徴とする、請求項２８に記載の容器。
【請求項３２】
外周面に雄ネジが形成された注入口を持つ容器本体と；
注入口の内側に挿入され、上端は開放され、下端には切取線によって区分される破裂部が形成された円筒状収容部を持つ貯蔵容器と；
前記収容部の開放端に面接触する端部プレートと、端部プレートの外周縁から軸方向に伸び、注入口に螺合される雌ネジが形成されたメインキャップと、端部プレートの内周縁から軸方向に伸び、前記収容部の内側に軸方向移動可能に挿入され、端部に前記破断線を切開する刃部を持つスライダーとが一体的に形成された蓋部材と；
を含んでなる容器。
【請求項３３】
前記収容部の開放端には、収容部から半径方向外側に拡張される外側突条を持つフランジが一体的に形成され、収容部の外周面には、フランジから所定距離に前記注入口の雄ネジと同一ピッチの雄ネジが形成され、メインキャップの雌ネジ形成区間の内側には、収容部の雄ネジに螺合され、外側突条にかかる外側係合突条が半径方向内側に突設され、蓋部材の回転時、外側係合突条が外側突条にかかって貯蔵容器を注入口から分離させることを特徴とする、請求項３２に記載の容器。
【請求項３４】
前記フランジは半径方向内側に拡張される内側突条をさらに含み、スライダーの外周面のうち、外側係合突条と対応する位置には、内側突条にかかる内側係合突条が半径方向外側に突設され、蓋部材の回転時、内側係合突条が内側突条にかかって貯蔵容器を注入口から分離させることを特徴とする、請求項３３に記載の容器。
【請求項３５】
前記端部プレートには、フランジによって開閉される少なくとも一つの連通孔が形成されることを特徴とする、請求項３４に記載の容器。
【請求項３６】
前記端部プレートの外周縁には軸方向に延長部が形成され、この延長部に選択的に結合される上部キャップが備えられることを特徴とする、請求項３４に記載の容器。
【請求項３７】
前記上部キャップは連結帯によってメインキャップに一体的に固定されることを特徴とする、請求項３６に記載の容器。
【請求項３８】
前記上部キャップには、内側面に所定間隔を持つシール突条が突設され、延長部には、前記シール突条間に挿入されるシール突条が一体的に形成されることを特徴とする、請求項３７に記載の容器。
【請求項３９】
前記延長部には、注入口の雄ネジと同一の雄ネジが形成され、雄ネジに螺合する雌ネジを持つスポーツキャップが延長部に螺合されることを特徴とする、請求項３４に記載の容器。
【請求項４０】
外周面に雄ネジが形成された注入口を持つ容器本体と；
上端は開放され、下端には排出口が形成された円筒状収容部を持ち、下端から軸方向に破裂具が突設され、排出口の一側にフックが一体的に形成された貯蔵容器と；
収容部の開放端に配置される端部プレートと、端部プレートの外周縁から軸方向に伸び、注入口に螺合される雌ネジが形成されたメインキャップと、端部プレートの内周縁から軸方向に伸びて前記収容部の内側に軸方向移動可能に挿入されるスライダーと、スライダーの下部に、前記フックにかかる係留具を持つ破裂部とが一体的に形成される蓋部材と；
貯蔵容器の開放端内周面に環状に配置される固定ラチェットと、スライダーの外周面に形成され、蓋部材が注入口から解放される時、予定位置で前記固定ラチェットと干渉する可動ラチェットとからなる分離手段と；
を含んでなる容器。
【請求項４１】
前記固定ラチェット及び可動ラチェットはそれぞれ軸方向に面接触し、蓋部材が解放される方向に回転する時、それぞれ相手の回転を制限するように構成されることを特徴とする、請求項４０に記載の容器。
【請求項４２】
前記固定ラチェット及び可動ラチェットの後面には、それぞれスライダーが貯蔵容器の内側に進入することを許容するように傾斜面を持つことを特徴とする、請求項４１に記載の容器。
【請求項４３】
外周面に雄ネジが形成された注入口を持つ容器本体と；
上端は開放され、下端には排出口が形成された円筒状収容部を持ち、下端から軸方向に破裂具が突設され、排出口周囲に軸方向に複数の破裂具が一体的に形成された貯蔵容器と；
収容部の開放端に配置される端部プレートと、端部プレートの外周縁から軸方向に伸び、注入口に螺合される雌ネジが形成されたメインキャップと、端部プレートの内周縁から軸方向に伸びて前記収容部の内側に軸方向移動可能に挿入されるスライダーと、スライダーの下部に前記破裂具によって破れる破裂部とが一体的に形成される蓋部材と；
貯蔵容器の開放端部に環状に配置される固定ラチェットと、蓋部材の端部プレートの内面において、前記固定ラチェットと対応する位置に形成され、固定ラチェットに対して一方向回転のみを許容する可動ラチェットとからなる分離手段と；
を含んでなる容器。
【請求項４４】
外周面に雄ネジが形成された注入口を持つ容器本体と；
上端は開放され、下端には排出口が形成された円筒状収容部を持ち、下端から軸方向に破裂具が突設され、排出口周囲に軸方向に複数の破裂具が一体的に形成される貯蔵容器と；
収容部の開放端に配置される端部プレートと、端部プレートの外周縁から軸方向に伸び、注入口に螺合される雌ネジが形成されたメインキャップと、端部プレートの内周縁から軸方向に伸びて前記収容部の内側に軸方向移動可能に挿入されるスライダーと、スライダーの下部に設けられ、前記破裂具によって破れる破裂部とが一体的に形成される蓋部材と；
貯蔵容器の排出口周囲に環状に配置される固定ラチェットと、蓋部材のスライダーの下端において、前記固定ラチェットと対応する位置に形成され、固定ラチェットに対して一方向回転のみを許容する可動ラチェットとからなる分離手段と；
を含んでなる容器。
【請求項４５】
前記貯蔵容器の開放端部の内周面には、スライダーの側面にすべり移動可能に接するシール突条が一体的に形成されることを特徴とする、請求項４３又は４４に記載の容器。
【請求項４６】
外周面に雄ネジが形成された注入口を持つ容器本体と；
前記注入口の開放端に面接触する端部プレートと、端部プレートの外周縁から軸方向に伸び、注入口に螺合される雌ネジが形成されたメインキャップと、端部プレートの内周縁から軸方向に伸びて前記収容部の内側に軸方向移動可能に挿入され、端部に破裂部が一体的に形成された内部キャップとが一体的に形成される貯蔵容器と；
前記内部キャップの上部に配置される仕上げプレートと、仕上げプレートの外周縁から軸方向に伸び、メインキャップの外周面に螺合される雌ネジが形成された上部キャップと、端部プレートの内周縁から軸方向に伸びて前記収容部の内側に軸方向移動可能に挿入され、前記破裂部を切開する破裂具が端部に一体的に形成されたスライダーとからなる蓋部材と；
貯蔵容器の下部に切取可能に形成され、蓋部材の下降を制限する固定バンドと；
を含んでなる容器。
【請求項４７】
破裂部は、周縁部が比較的薄く形成されることにより、ホルダーによって内部キャップに堅く連結されることを特徴とする、請求項４６に記載の容器。
【請求項４８】
前記スライダーの内部には、長手方向全長にわたって半径方向内側に突出する撹拌突条が形成されることを特徴とする、請求項４７に記載の容器。
【請求項４９】
前記スライダーの内部には、半径方向に突出する少なくとも一つの撹拌棒が一体的に形成されることを特徴とする、請求項４６〜４８のいずれか一項に記載の容器。
【請求項５０】
外周面に雄ネジが形成された注入口を持つ容器本体と；
前記注入口の開放端部に面接触する端部プレートと、端部プレートの外周縁から軸方向に伸び、注入口に螺合される雌ネジが形成されたメインキャップと、端部プレートの内周縁から軸方向に伸びて前記収容部の内側に軸方向移動可能に挿入され、端部に排出口及び係合突条が形成される内部キャップとが一体的に形成された貯蔵容器と；
前記内部キャップの上部に配置される仕上げプレートと、仕上げプレートの外周縁から軸方向に伸び、メインキャップの外周面に螺合される雌ネジが形成された上部キャップと、端部プレートの内周縁から軸方向に伸びて前記収容部の内側に軸方向移動可能に挿入され、端部で栓によって密閉されるスライダーとが一体的に形成された蓋部材と；
を含んでなる容器。
【請求項５１】
前記栓は、下端に係合突条にかかるフックが一体的に形成されることにより、係合突条の進入は許容するが離脱は制限することを特徴とする、請求項５０に記載の容器。
【請求項５２】
前記栓は、スライダーの下端に形成されたシール溝に結合されるシール突条を含んで、スライダーに対して分離可能に構成されることを特徴とする、請求項５１に記載の容器。
【請求項５３】
前記栓はスライダーの下端に一体的に形成され、栓とスライダーとの間には比較的薄く形成される切取線が形成されることを特徴とする、請求項５２に記載の容器。
【請求項５４】
前記切取線は斜めに形成されることを特徴とする、請求項５３に記載の容器。
【請求項５５】
前記栓の上部外周面には、スライダーの内壁から突出する固定突条にかかる固定溝が形成され、スライダーに対して分離可能に形成されることを特徴とする、請求項５３に記載の容器。
【請求項５６】
前記栓とスライダーとの間にはシールリングが介在されることを特徴とする、請求項５５に記載の容器。
【請求項５７】
前記スライダーと内部キャップには、互いに対して軸方向に移動する時、気密維持及び干渉音発生のための干渉突条がそれぞれ形成されることを特徴とする、請求項５６に記載の容器。
【請求項５８】
前記仕上げプレートには、干渉突条の作動音を外部に発散させる音発生部が形成されることを特徴とする、請求項５７に記載の容器。
【請求項５９】
外周面に雄ネジが形成された注入口を持つ容器本体と；
前記注入口の開放端に面接触する端部プレートと、端部プレートの内周縁から軸方向に伸びて前記収容部の内側に軸方向移動可能に挿入され、端部に排出口が形成される内部キャップと、端部プレートの外周縁から半径方向外側に、前記注入口の雄ネジと同一の雄ネジが突設された貯蔵容器と；
前記内部キャップの上部に配置される仕上げプレートと、仕上げプレートの外周縁から軸方向に伸び、注入口の雄ネジ及び端部プレートの雄ネジに同時に螺合される雌ネジが形成された上部キャップと、端部プレートの内周縁から軸方向に伸びて前記収容部の内側に軸方向移動可能に挿入され、端部に排出口が形成されるスライダーとが一体的に形成された蓋部材と；
貯蔵容器の下部を覆い、スライダーと内部キャップ間の隙間を密封する破裂膜と；
を含んでなる容器。
【請求項６０】
スライダーの下部には、貯蔵容器が蓋部材に対して設定位置以上に上昇することを制限する楔部が備えられることを特徴とする、請求項５９記載の容器。
【請求項６１】
注入口の上面には下部ラチェットが形成され、これに対応する貯蔵容器の底面には上部ラチェットが形成されることにより、注入口に対する貯蔵容器の一方向回転のみを許容することを特徴とする、請求項６０に記載の容器。
【請求項６２】
貯蔵容器の上部には下部ラチェット片が形成され、これに対応する蓋部材の底面には、下部ラチェット片に対して一方向にだけ回転される下部ラチェット片が形成されることにより、蓋部材の回転力が貯蔵容器に伝達されることを特徴とする、請求項６１に記載の容器。
【請求項６３】
前記排出口の上端及び下端にはそれぞれ環状のシール突条が突設されることを特徴とする、請求項６２に記載の容器。
【請求項６４】
前記スライダーには、添加物収容空間を二分する分離壁が形成され、それぞれの分離空間にそれぞれ排出口及び開放口が形成されることを特徴とする、請求項５９〜６３のいずれか一項に記載の容器。
【請求項６５】
前記仕上げプレート上には、添加物収容空間に添加物を充填するための少なくとも一つの開放口が形成されることを特徴とする、請求項６４に記載の容器。
【請求項６６】
外周面に雄ネジが形成された注入口を持つ容器本体と；
前記注入口の開放端に面接触する端部プレートと、端部プレートの内周縁から軸方向に伸びて収容部の内側に軸方向移動可能に挿入される内部キャップと、端部プレートの外周縁から半径方向外側に、前記注入口雄ネジと同一の雄ネジが突設された貯蔵容器と；
貯蔵容器の下部を密封する破裂膜と；
前記内部キャップの上部に配置される仕上げプレートと、仕上げプレートの外周縁から軸方向に伸び、注入口の雄ネジ及び端部プレートの雄ネジに同時に螺合される雌ネジが形成された上部キャップと、端部プレートの内周縁から軸方向に伸びて内部キャップ内部に軸方向移動可能に挿入され、予定位置で前記破裂膜を裂く破裂具が端部に形成されたスライダーとが一体的に形成された蓋部材と；
を含んでなる容器。
【請求項６７】
前記破裂具は支持軸を含み、前記支持軸を補強するために、前記支持軸の周囲には少なくとも一つの補強リブが形成されることを特徴とする、請求項６６に記載の容器。
【請求項６８】
前記破裂膜は、アルミニウム簿膜、又は成形工程によって前記貯蔵容器の内部キャップと同一材料で製造された簿膜から選択され、前記簿膜には破断線が設けられることを特徴とする、請求項６６に記載の容器。
【請求項６９】
外周面に雄ネジが形成された注入口を持つ容器本体と；
前記注入口の開放端部に面接触する端部プレートと、端部プレートの外周縁から軸方向に伸び、注入口に螺合される雌ネジが形成されたメインキャップと、端部プレートの内周縁から軸方向に伸びて前記注入口の内側に軸方向移動可能に挿入され、下端に複数の排出口が形成される内部キャップと、端部プレートの内周縁から内部キャップと反対方向に延長され、外周面に雄ネジが形成された延長部とが一体的に形成される貯蔵容器と；
内部キャップの下端に固定され、内部キャップの軸方向開放部を密閉する栓と；
前記延長部の上端に配置される仕上げプレートと、仕上げプレートの外側から軸方向に伸びて前記延長部の雄ネジに螺合される上部キャップと、端部プレートの内周縁から軸方向に伸びて内部キャップに挿入され、端部が栓によって密閉されるスライダーとが一体的に形成される蓋部材と；
を含んでなる容器。
【請求項７０】
前記栓は、前記スライダーの下部内側に形成された係合突条にかかる係合突条が下端に形成されることにより、スライダーに対する軸方向移動が制限されることを特徴とする、請求項６９に記載の容器。
【請求項７１】
前記栓の上部には、スライダーの下端に接するようにシールリングが備えられることを特徴とする、請求項６９に記載の容器。
【請求項７２】
前記スライダーの下端内側には、栓の上部と接する円筒状シールリングが備えられることを特徴とする、請求項７０に記載の容器。
【請求項７３】
前記シールリングは、スライダーの射出時、スライダーの内側に一体的に成形される二重射出によって形成されることを特徴とする、請求項７２に記載の容器。
【請求項７４】
前記内部キャップは、注入口の内壁から離隔するように傾いた段差部を持つことを特徴とする、請求項６９〜７３のいずれか一項に記載の容器。
【請求項７５】
前記延長部の雄ネジは、注入口の雄ネジと反対方向のネジに形成されることを特徴とする、請求項７４に記載の容器。
【請求項７６】
前記延長部の外周面には、半径方向外側に拡張され、予定位置で上部キャップの上昇を制限するストッパーが形成されることを特徴とする、請求項７５に記載の容器。
【請求項７７】
前記延長部には、上部キャップと干渉して干渉音を発生させる干渉音発生突起が形成され、上部キャップには、干渉音を外部に伝播する音発生部が形成されることを特徴とする、請求項７６に記載の容器。
【手続補正２】
【補正対象書類名】明細書
【補正対象項目名】０２２８
【補正方法】変更
【補正の内容】
【０２２８】
【図１】図１は本発明の第１実施例の構成を示す分解斜視図である。
【図２】図２Ａ〜図２Ｄは本発明の第１実施例の作動状態を示す断面図である。
【図３】図３は容器本体の注入口を成形する例を示す部分拡大断面図である。
【図４】図４は本発明の第２実施例の構成を示す断面図である。
【図５】図５は本発明の第３実施例の構成を示す断面図である。
【図６】図６Ａ及び図６Ｂは本発明の第４実施例の構成及び作動を示す断面図である。
【図７】図７Ａ及び図７Ｂ本発明の第５実施例の構成及び作動を示す断面図である。
【図８】図８は本発明の第６実施例の構成を示す断面図である。
【図９】図９は本発明の第６実施例の蓋部材と貯蔵容器の回転制限のためのラチェットの構造を示す平面図である。
【図１０】図１０Ａ及び図１０Ｂは第６実施例の収容部材と注入口のシール構造を示す部分拡大断面図である。
【図１１】図１１Ａ及び図１１Ｂは本発明の第６実施例の作動状態を示す断面図である。
【図１２】図１２は本発明の第７実施例の構成を示す断面図である。
【図１３】図１３は本発明の第８実施例の構成を示す断面図である。
【図１４】図１４は本発明の第９実施例の構成を示す断面図である。
【図１５】図１５は本発明の第９実施例の上部キャップの開放状態を示す斜視図である。
【図１６】図１６は本発明の第１０実施例の構成を示す断面図である。
【図１７】図１７は本発明の第１１実施例の構成を示す断面図である。
【図１８】図１８Ａ〜図１８Ｃは本発明の第１１実施例の作動を示す断面図である。
【図１９】図１９は本発明の第１２実施例の構成を示す断面図である。
【図２０】図２０は本発明の第１２実施例の要部構成を示す拡大断面図である。
【図２１】図２１は本発明の第１３実施例の構成を示す断面図である。
【図２２】図２２は本発明の第１４実施例の構成を示す分解斜視図である。
【図２３】図２３は本発明の第１４実施例の結合状態を示す断面図である。
【図２４】図２４Ａ及び図２４Ｂは本発明の第１４実施例の作動状態を示す断面図である。
【図２５】図２５は本発明の第１５実施例の構成を示す分解斜視図である。
【図２６】図２６は本発明の第１５実施例の結合状態を示す断面図である。
【図２７】図２７Ａ及び図２７Ｂは本発明の第１５実施例の作動状態を示す断面図である。
【図２８】図２８Ａ〜図２８Ｃは第１５実施例の可動及び固定ラチェットの作動状態を示す拡大断面図である。
【図２９】図２９は本発明の第１６実施例の構成を示す分解斜視図である。
【図３０】図３０は本発明の第１６実施例の結合状態を示す断面図である。
【図３１】図３１Ａ及び図３２Ｂは本発明の第１６実施例の作動状態を示す断面図である。
【図３２】図３２は本発明の第１７実施例の構成を示す分解斜視図である。
【図３３】図３３Ａは本発明の第１７実施例の構成を示す縦断面図であり、図３３Ｂは本発明の第１７実施例の構成を示す横断面図である。
【図３４】図３４Ａ〜図３４Ｃは本発明の第１７実施例の作動状態を示す断面図である。
【図３５】図３５は本発明の第１８実施例の構成を示す分解斜視図である。
【図３６】図３６は本発明の第１８実施例の構成を示す断面図である。
【図３７】図３７Ａ〜図３７Ｃは本発明の第１８実施例の作動状態図である。
【図３８】図３８は本発明の第１９実施例の構成を示す断面図である。
【図３９】図３９Ａ〜図３９Ｃは本発明の第１９実施例の作動状態を示す断面図である。
【図４０】図４０は本発明の第２０実施例の構成を示す断面図である。
【図４１】図４１は本発明の第２０実施例結合状態を示す斜視図である。
【図４２】図４２Ａ及び図４２Ｂは第２０実施例作の動状態を示す断面図である。
【図４３】図４３は本発明の第２１実施例の構成を示す分解斜視図である。
【図４４】図４４は本発明の第２１実施例の構成を示す断面図である。
【図４５】図４５Ａ及び図４５Ｂは本発明の第２１実施例の作動状態を示す断面図である。
【図４６】図４６Ａ及び図４６Ｂは本発明の第２２実施例の構成及び作動状態を示す断面図である。
【図４７】図４７Ａ及び図４７Ｂは本発明の第２３実施例の構成及び作動状態を示す断面図である。
【図４８】図４８は本発明の第２４実施例の構成を示す断面図である。
【図４９】図４９は本発明の第２４実施例の貯蔵容器の構成を示す側面図である。
【図５０】図５０Ａ及び図５０Ｂは本発明の第２４実施例の作動状態を示す断面図である。
【図５１】図５１は本発明の第２５実施例の構成を示す断面図である。
【図５２】図５２は本発明の第２５実施例の貯蔵容器の構成を示す側面図である。
【図５３】図５３Ａ及び図５３Ｂは本発明の第２５実施例の作動状態を示す図である。
【国際調査報告】
2007512194.tif 000083
2007512194.tif 000084